(57)【要約】  ワイヤレスデバイスがデバイスツーデバイス（Ｄ２Ｄ）動作を行うことを意図され又はそれが予期される非サービングキャリアに上記ワイヤレスデバイスにより適用されるべき測定ギャップの構成に関連するシステム及び方法がここに開示される。いくつかの実施形態において、ネットワークノードの動作の方法は、第１の周波数上で動作するサービングセルと共に構成されるワイヤレスデバイスが非サービング周波数である第２の周波数上で動作する非サービングセルへ同期しているかを判定すること、を含む。上記方法は、さらに、上記ワイヤレスデバイスが上記非サービングセルへ同期しているかに基づいて、上記ワイヤレスデバイスを第１の測定ギャップ構成を適用するように構成すべきか又は第２の測定ギャップ構成を適用するように構成すべきかを判定することと、上記ワイヤレスデバイスを判定した上記測定ギャップ構成を適用するように構成する情報を上記ワイヤレスデバイスへ送信することと、を含む。【選択図】図５
2019502292.tif 000002
【特許請求の範囲】
【請求項１】
セルラー通信ネットワーク（１０）におけるネットワークノード（１４）の動作の方法であって、
第１の周波数上で動作するサービングセル（１６）と共に構成されるワイヤレスデバイス（１２）が非サービング周波数である第２の周波数上で動作する非サービングセル（１６）へ同期しているかを判定すること（１００，２００）と、
前記ワイヤレスデバイス（１２）が前記第２の周波数上で動作する前記非サービングセル（１６）へ同期しているかに基づいて、前記ワイヤレスデバイス（１２）を第１の測定ギャップ構成を適用するように構成すべきか又は第２の測定ギャップ構成を適用するように構成すべきかを判定すること（１０２，２０４）と、前記第１の測定ギャップ構成及び前記第２の測定ギャップ構成は、異なる測定ギャップ構成であることと、
前記ネットワークノード（１４）により判定される通りに、前記ワイヤレスデバイス（１２）を前記第１の測定ギャップ構成又は前記第２の測定ギャップ構成を適用するように構成する情報を前記ワイヤレスデバイス（１２）へ送信すること（１０４，２０６）と、
を含む方法。
【請求項２】
前記ワイヤレスデバイス（１２）が前記第１の測定ギャップ構成と共に構成されるか又は前記第２の測定ギャップ構成と共に構成されるかに基づいて、前記ワイヤレスデバイス（１２）への信号のスケジューリングを適応させること（１０６，２０８）、をさらに含む、請求項１の方法。
【請求項３】
前記ワイヤレスデバイス（１２）を前記第１の測定ギャップ構成を適用するように構成すべきか又は前記第２の測定ギャップ構成を適用するように構成すべきかを判定すること（１０２）は、
前記ワイヤレスデバイス（１２）が前記第２の周波数上で動作する前記非サービングセル（１６）へ同期しているとの判定に応じて、前記ワイヤレスデバイス（１２）を前記第１の測定ギャップ構成を適用するように構成すべきであると判定すること（１０２）と、
前記ワイヤレスデバイス（１２）が前記第２の周波数上で動作する前記非サービングセル（１６）へ同期していないとの判定に応じて、前記ワイヤレスデバイス（１２）を前記第２の測定ギャップ構成を適用するように構成すべきであると判定すること（１０２）と、
を含む、請求項１又は請求項２の方法。
【請求項４】
前記ワイヤレスデバイス（１２）が前記第２の周波数上で動作する前記非サービングセル（１６）からシステム情報を取得する必要があるかを判定すること（２０２）、
をさらに含み、
前記ワイヤレスデバイス（１２）を前記第１の測定ギャップ構成を適用するように構成すべきか又は前記第２の測定ギャップ構成を適用するように構成すべきかを判定すること（２０４）は、
前記ワイヤレスデバイス（１２）が前記第２の周波数上で動作する前記非サービングセル（１６）へ同期しており、且つ、前記第２の周波数上で動作する前記非サービングセル（１６）からシステム情報を取得する必要が無いとの判定に応じて、前記ワイヤレスデバイス（１２）を前記第１の測定ギャップ構成を適用するように構成すべきであると判定すること（２０２）と、
前記ワイヤレスデバイス（１２）が前記第２の周波数上で動作する前記非サービングセル（１６）へ同期しておらず、且つ／又は、前記第２の周波数上で動作する前記非サービングセル（１６）からシステム情報を取得する必要がある、との判定に応じて、前記ワイヤレスデバイス（１２）を前記第２の測定ギャップ構成を適用するように構成すべきであると判定すること（２０２）と、
を含む、請求項１又は請求項２の方法。
【請求項５】
前記第１の測定ギャップ構成は、第１の測定ギャップ時間長を含み、前記第２の測定ギャップ構成は、第２の測定ギャップ時間長を含み、前記第２の測定ギャップ時間長は、前記第１の測定ギャップ時間長よりも大きい、請求項３又は請求項４の方法。
【請求項６】
前記第２の測定ギャップ時間長は、前記第１の測定ギャップ時間長に加えて可変的な拡張分を含む、請求項５の方法。
【請求項７】
前記第２の測定ギャップ時間長は、前記第１の測定ギャップ時間長に加えて拡張分を含み、前記拡張分は、
前記ワイヤレスデバイス（１２）が前記非サービングセル（１６）からシステム情報を取得することが必要か、
前記ワイヤレスデバイス（１２）が前記非サービングセル（１６）から取得することが必要なシステム情報ブロックの数、
前記ワイヤレスデバイス（１２）が前記非サービングセル（１６）からページングを取得することが必要か、及び、
前記非サービングセル（１６）が前記ワイヤレスデバイス（１２）により過去に知得済みであるか、
からなる群のうちの少なくとも１つの関数である、請求項５の方法。
【請求項８】
前記第２の測定ギャップ時間長は、前記第１の測定ギャップ時間長に加えて予め定義される変数である拡張分を含む、請求項５の方法。
【請求項９】
前記ワイヤレスデバイス（１２）が前記第２の周波数上で動作する前記非サービングセル（１６）からシステム情報を取得する必要があるかを判定すること（２０２）、
をさらに含み、
前記ワイヤレスデバイス（１２）を前記第１の測定ギャップ構成を適用するように構成すべきか又は前記第２の測定ギャップ構成を適用するように構成すべきかを判定すること（２０４）は、前記ワイヤレスデバイス（１２）が前記第２の周波数上で動作する前記非サービングセル（１６）へ同期しているか、及び、前記ワイヤレスデバイス（１２）が前記第２の周波数上で動作する前記非サービングセル（１６）からシステム情報を取得する必要があるか、に基づいて、前記ワイヤレスデバイス（１２）を前記第１の測定ギャップ構成を適用するように構成すべきか又は前記第２の測定ギャップ構成を適用するように構成すべきかを判定すること（２０４）、を含む、
請求項１又は請求項２の方法。
【請求項１０】
前記ワイヤレスデバイス（１２）を前記第１の測定ギャップ構成を適用するように構成すべきか又は前記第２の測定ギャップ構成を適用するように構成すべきかを判定すること（１０２，２０４）は、前記ワイヤレスデバイス（１２）が前記第２の周波数上で動作する前記非サービングセル（１６）へ同期している確度が閾値よりも小さい場合に、周期的に前記第２の測定ギャップ構成を適用し、そうではない場合に、前記第１の測定ギャップ構成を適用する、ように前記ワイヤレスデバイス（１２）を構成すべきであると判定すること（１０２，２０４）、を含む、請求項１〜９のいずれか１項の方法。
【請求項１１】
前記ワイヤレスデバイス（１２）が前記第２の周波数上で動作する前記非サービングセル（１６）へ同期しているかを判定すること（１００，２００）は、
前記非サービングセル（１６）上での前記ワイヤレスデバイス（１２）のタイミング精度、
前記非サービングセル（１６）に対する前記ワイヤレスデバイス（１２）の速度、
前記非サービングセル（１６）に対する前記ワイヤレスデバイス（１２）の位置、
前記ワイヤレスデバイス（１２）のアクティビティに関する履歴データ、
前記ワイヤレスデバイス（１２）の無線リソース制御状態、
前記ワイヤレスデバイス（１２）がアイドル状態で動作しているか又は接続済み状態で動作しているか、
前記ワイヤレスデバイス（１２）が不連続受信動作モードで動作しているか、
前記ワイヤレスデバイス（１２）が最後にある測定ギャップ構成と共に構成されてから経過した時間量、
前記ワイヤレスデバイス（１２）が最後に前記第２の測定ギャップ構成と共に構成されてから経過した時間量、
前記セルラー通信ネットワーク（１０）内の１つ以上の他のノードから受信される情報、及び、
前記非サービングセル（１６）を基準とした前記ワイヤレスデバイス（１２）の同期ステータスの、前記ワイヤレスデバイス（１２）から受信される暗黙的な又は明示的な標識、
のうちの少なくとも１つに基づいて、前記ワイヤレスデバイス（１２）が前記第２の周波数上で動作する前記非サービングセル（１６）へ同期しているかを判定すること（１００，２００）、を含む、
請求項１〜１０のいずれか１項の方法。
【請求項１２】
セルラー通信ネットワーク（１０）のためのネットワークノード（１４）であって、
第１の周波数上で動作するサービングセル（１６）と共に構成されるワイヤレスデバイス（１２）が非サービング周波数である第２の周波数上で動作する非サービングセル（１６）へ同期しているかを判定し、
前記ワイヤレスデバイス（１２）が前記第２の周波数上で動作する前記非サービングセル（１６）へ同期しているかに基づいて、前記ワイヤレスデバイス（１２）を第１の測定ギャップ構成を適用するように構成すべきか又は前記第１の測定ギャップ構成とは異なる測定ギャップ構成である第２の測定ギャップ構成を適用するように構成すべきかを判定し、
前記ネットワークノード（１４）により判定される通りに、前記ワイヤレスデバイス（１２）を前記第１の測定ギャップ構成又は前記第２の測定ギャップ構成を適用するように構成する情報を前記ワイヤレスデバイス（１２）へ送信する、
ように適合されるネットワークノード（１４）。
【請求項１３】
前記ネットワークノード（１４）は、請求項２〜１１のいずれか１項の方法に従って動作するようにさらに適合される、請求項１２のネットワークノード（１４）。
【請求項１４】
セルラー通信ネットワーク（１０）のためのネットワークノード（１４）であって、
プロセッサ（３２）と、
前記プロセッサ（３２）により実行可能な命令を含むメモリ（３４）と、
を備え、それにより、前記ネットワークノード（１４）は、
第１の周波数上で動作するサービングセル（１６）と共に構成されるワイヤレスデバイス（１２）が非サービング周波数である第２の周波数上で動作する非サービングセル（１６）へ同期しているかを判定し、
前記ワイヤレスデバイス（１２）が前記第２の周波数上で動作する前記非サービングセル（１６）へ同期しているかに基づいて、前記ワイヤレスデバイス（１２）を第１の測定ギャップ構成を適用するように構成すべきか又は前記第１の測定ギャップ構成とは異なる測定ギャップ構成である第２の測定ギャップ構成を適用するように構成すべきかを判定し、
前記ネットワークノード（１４）により判定される通りに、前記ワイヤレスデバイス（１２）を前記第１の測定ギャップ構成又は前記第２の測定ギャップ構成を適用するように構成する情報を前記ワイヤレスデバイス（１２）へ送信する、
ように動作可能である、ネットワークノード（１４）。
【請求項１５】
セルラー通信ネットワーク（１０）のためのネットワークノード（１４）であって、
第１の周波数上で動作するサービングセル（１６）と共に構成されるワイヤレスデバイス（１２）が非サービング周波数である第２の周波数上で動作する非サービングセル（１６）へ同期しているかを判定する、ように動作可能な第１判定モジュール（５４−１）と、
前記ワイヤレスデバイス（１２）が前記第２の周波数上で動作する前記非サービングセル（１６）へ同期しているかに基づいて、前記ワイヤレスデバイス（１２）を第１の測定ギャップ構成を適用するように構成すべきか又は前記第１の測定ギャップ構成とは異なる測定ギャップ構成である第２の測定ギャップ構成を適用するように構成すべきかを判定する、ように動作可能な第２判定モジュール（５４−２）と、
前記ネットワークノード（１４）により判定される通りに、前記ワイヤレスデバイス（１２）を前記第１の測定ギャップ構成又は前記第２の測定ギャップ構成を適用するように構成する情報を前記ワイヤレスデバイス（１２）へ送信する、ように動作可能な送信モジュール（５４−３）と、
を備えるネットワークノード（１４）。
【請求項１６】
セルラー通信ネットワーク（１０）におけるワイヤレスデバイス（１２）の動作の方法であって、
第１の周波数上で動作するサービングセル（１６）と共に構成される前記ワイヤレスデバイス（１２）が非サービング周波数である第２の周波数上で動作する非サービングセル（１６）へ同期しているかを判定するための第１の情報を取得すること（３００）と、
前記ワイヤレスデバイス（１２）が前記第２の周波数上で動作する前記非サービングセル（１６）へ同期しているかを、前記第１の情報に基づいて判定すること（３０２）と、
前記ワイヤレスデバイス（１２）が前記第２の周波数上で動作する前記非サービングセル（１６）へ同期していないという判定に応じて、
前記ワイヤレスデバイス（１２）が前記第２の周波数上で動作する前記非サービングセル（１６）へ同期していないという標識、
前記ワイヤレスデバイス（１２）がデバイスツーデバイス（Ｄ２Ｄ）動作を行う前に前記非サービングセル（１６）へ同期する目的で拡張測定ギャップを必要とするという標識、及び、
Ｄ２Ｄ動作を実行する目的で前記非サービングセル（１６）へ同期するために前記ワイヤレスデバイス（１２）によりリクエストされる拡張されたギャップの時間長、
のうちの少なくとも１つを含むリクエストをネットワークノード（１４）へ送信すること（３０４）と、
を含む方法。
【請求項１７】
前記リクエストへの応答として、前記ワイヤレスデバイス（１２）が前記非サービングセル（１６）へ同期するための測定ギャップ拡張分を含む時間長に加えて前記ワイヤレスデバイス（１２）がＤ２Ｄ動作を実行可能な測定ギャップ時間長を有する測定ギャップである拡張測定ギャップについての構成を含む、前記ワイヤレスデバイス（１２）についての測定ギャップ構成を含む第２の情報を、前記ネットワークノード（１４）から受信すること（３０６）と、
前記第２の情報に従って前記ワイヤレスデバイス（１２）により適用される測定ギャップ構成を構成すること（３０８）と、
構成される前記測定ギャップ時間長を有する測定ギャップの期間中に、前記第２の周波数上で動作する前記非サービングセル（１６）へ同期し（３１０）及び前記第２の周波数上で動作する前記非サービングセル（１６）上でＤ２Ｄ動作を実行すること（３１０）と、
をさらに含む、請求項１６の方法。
【請求項１８】
前記ワイヤレスデバイス（１２）の測定ギャップ構成を適応化すること、をさらに含む、請求項１６の方法。
【請求項１９】
前記ワイヤレスデバイス（１２）が前記第２の周波数上で動作する前記非サービングセル（１６）へ同期しているかを判定すること（３０２）は、
前記非サービングセル（１６）上での前記ワイヤレスデバイス（１２）のタイミング精度、
前記非サービングセル（１６）に対する前記ワイヤレスデバイス（１２）の速度、
前記非サービングセル（１６）に対する前記ワイヤレスデバイス（１２）の位置、
前記ワイヤレスデバイス（１２）のアクティビティに関する履歴データ、
前記ワイヤレスデバイス（１２）の無線リソース制御状態、
前記ワイヤレスデバイス（１２）がアイドル状態で動作しているか又は接続済み状態で動作しているか、
前記ワイヤレスデバイス（１２）が不連続受信動作モードで動作しているか、
前記ワイヤレスデバイス（１２）が最後にある測定ギャップ構成と共に構成されてから経過した時間量、
前記ワイヤレスデバイス（１２）が最後に拡張測定ギャップと共に構成されてから経過した時間量、及び、
前記セルラー通信ネットワーク（１０）内の１つ以上の他のノードから受信される情報、
のうちの少なくとも１つに基づいて、前記ワイヤレスデバイス（１２）が前記第２の周波数上で動作する前記非サービングセル（１６）へ同期しているかを判定すること（３０２）、を含む、請求項１６〜１８のいずれか１項の方法。
【請求項２０】
セルラー通信ネットワーク（１０）のためのワイヤレスデバイス（１２）であって、
第１の周波数上で動作するサービングセル（１６）と共に構成される前記ワイヤレスデバイス（１２）が非サービング周波数である第２の周波数上で動作する非サービングセル（１６）へ同期しているかを判定するための第１の情報を取得し、
前記ワイヤレスデバイス（１２）が前記第２の周波数上で動作する前記非サービングセル（１６）へ同期しているかを、前記第１の情報に基づいて判定し、
前記ワイヤレスデバイス（１２）が前記第２の周波数上で動作する前記非サービングセル（１６）へ同期していないという判定に応じて、
前記ワイヤレスデバイス（１２）が前記第２の周波数上で動作する前記非サービングセル（１６）へ同期していないという標識、
前記ワイヤレスデバイス（１２）がデバイスツーデバイス（Ｄ２Ｄ）動作を行う前に前記非サービングセル（１６）へ同期する目的で拡張測定ギャップを必要とするという標識、及び、
Ｄ２Ｄ動作を実行する目的で前記非サービングセル（１６）へ同期するために前記ワイヤレスデバイス（１２）によりリクエストされる拡張されたギャップの時間長、
のうちの少なくとも１つを含むリクエストをネットワークノード（１４）へ送信する、
ように適合されるワイヤレスデバイス（１２）。
【請求項２１】
前記ワイヤレスデバイス（１２）は、請求項１７〜１９のいずれか１項の方法に従って動作するようにさらに適合される、請求項２０のワイヤレスデバイス（１２）。
【請求項２２】
セルラー通信ネットワーク（１０）のためのワイヤレスデバイス（１２）であって、
送受信機（２４）と、
プロセッサ（２０）と、
前記プロセッサ（２０）により実行可能な命令を含むメモリ（２２）と、
を備え、それにより、前記ワイヤレスデバイス（１２）は、
第１の周波数上で動作するサービングセル（１６）と共に構成される前記ワイヤレスデバイス（１２）が非サービング周波数である第２の周波数上で動作する非サービングセル（１６）へ同期しているかを判定するための第１の情報を取得し、
前記ワイヤレスデバイス（１２）が前記第２の周波数上で動作する前記非サービングセル（１６）へ同期しているかを、前記第１の情報に基づいて判定し、
前記ワイヤレスデバイス（１２）が前記第２の周波数上で動作する前記非サービングセル（１６）へ同期していないという判定に応じて、
前記ワイヤレスデバイス（１２）が前記第２の周波数上で動作する前記非サービングセル（１６）へ同期していないという標識、
前記ワイヤレスデバイス（１２）がデバイスツーデバイス（Ｄ２Ｄ）動作を行う前に前記非サービングセル（１６）へ同期する目的で拡張測定ギャップを必要とするという標識、及び、
Ｄ２Ｄ動作を実行する目的で前記非サービングセル（１６）へ同期するために前記ワイヤレスデバイス（１２）によりリクエストされる拡張されたギャップの時間長、
のうちの少なくとも１つを含むリクエストをネットワークノード（１４）へ送信する、
ように動作可能である、ワイヤレスデバイス（１２）。
【請求項２３】
セルラー通信ネットワーク（１０）のためのワイヤレスデバイス（１２）であって、
第１の周波数上で動作するサービングセル（１６）と共に構成される前記ワイヤレスデバイス（１２）が非サービング周波数である第２の周波数上で動作する非サービングセル（１６）へ同期しているかを判定するための第１の情報を取得する、ように動作可能な取得モジュール（２８−１）と、
前記ワイヤレスデバイス（１２）が前記第２の周波数上で動作する前記非サービングセル（１６）へ同期しているかを、前記第１の情報に基づいて判定する、ように動作可能な判定モジュール（２８−２）と、
前記ワイヤレスデバイス（１２）が前記第２の周波数上で動作する前記非サービングセル（１６）へ同期していないと前記判定モジュール（２８−２）が判定することに応じて、
前記ワイヤレスデバイス（１２）が前記第２の周波数上で動作する前記非サービングセル（１６）へ同期していないという標識、
前記ワイヤレスデバイス（１２）がデバイスツーデバイス（Ｄ２Ｄ）動作を行う前に前記非サービングセル（１６）へ同期する目的で拡張測定ギャップを必要とするという標識、及び、
Ｄ２Ｄ動作を実行する目的で前記非サービングセル（１６）へ同期するために前記ワイヤレスデバイス（１２）によりリクエストされる拡張されたギャップの時間長、
のうちの少なくとも１つを含むリクエストをネットワークノード（１４）へ送信する、ように動作可能な送信モジュール（２８−３）と、
を備えるワイヤレスデバイス（１２）。
【発明の詳細な説明】
【技術分野】
【０００１】
［関連出願］
本出願は、２０１５年１１月２日に提出された仮特許出願第６２／２４９，７６７号の利益を主張し、その開示は、全体として参照によりここに取り入れられる。
【０００２】
［技術分野］
開示される主題は、概して、電気通信に関連し、より具体的には、非サービングキャリア周波数上でのデバイスツーデバイス（Ｄ２Ｄ）動作のための技法及び技術に関連する。
【背景技術】
【０００３】
＜ユーザ機器（ＵＥ）測定＞
ここでユーザ機器デバイス又はより広くワイヤレスデバイスとしても言及されるＵＥにより実行される無線測定は、典型的には、何らかの既知のリファレンスシンボル又はパイロットシーケンスを対象として、サービングセル及び隣接セル上で実行される。それら測定は、どのＵＥがその無線アクセス技術（ＲＡＴ）をサポートするのかに依存して、イントラ周波数キャリア及びインター周波数キャリア上のセル、並びに、インターＲＡＴキャリア上のセルについて実行される。測定ギャップを要するＵＥについてインター周波数測定及びインターＲＡＴ測定を可能にするために、ネットワークは、測定ギャップを構成しなければならない。
【０００４】
多様な目的で測定を行うことができる、いくつかの例示的な測定目的は、次の通りである：モビリティ、測位、自己組織化ネットワーク（ＳＯＮ）、ドライブテスト最小化（ＭＤＴ）、運用及び保守（Ｏ＆Ｍ）、ネットワークプランニング及び最適化など。３ＧＰＰ（Third  Generation  Partnership  Project）ＬＴＥ（Long  Term  Evolution）における測定の例は、セル識別（即ち、物理セルアイデンティティ（ＰＣＩ）取得）、リファレンスシンボル受信電力（ＲＳＲＰ）、リファレンスシンボル受信品質（ＲＳＲＱ）、セルグローバルアイデンティティ（ＩＤ）（ＣＧＩ）取得、リファレンス信号時間差（ＲＳＴＤ）、ＵＥ受信−送信（ＲＸ−ＴＸ）時間差測定、同期外（out  of  sync）検出及び同期内（in-sync）検出を含む無線リンクモニタリング（ＲＬＭ）などである。ＵＥにより実行されるチャネル状態情報（ＣＳＩ）測定は、ネットワークによりスケジューリング、リンク適応などのために使用される。ＣＳＩ測定又はＣＳＩレポートの例は、チャネル品質インジケータ（ＣＱＩ）、プリコーディング行列インジケータ（ＰＭＩ）、ランクインジケータ（ＲＩ）などである。ＣＳＩ測定は、共通リファレンス信号（ＣＲＳ）、ＣＳＩリファレンス信号（ＣＳＩ−ＲＳ）又は復調リファレンス信号（ＤＭＲＳ）などのリファレンス信号に関して実行され得る。測定は、全ての無線リソース制御（ＲＲＣ）状態において、即ちＲＲＣアイドル状態及びＲＲＣ接続済み状態において行われる。
【０００５】
３ＧＰＰ  ＬＴＥのダウンリンク無線フレーム構造内で、ダウンリンクサブフレーム＃０及びダウンリンクサブフレーム＃５は、同期信号、即ちプライマリ同期信号（ＰＳＳ）及びセカンダリ同期信号（ＳＳＳ）の双方を搬送する。例えば新たな隣接セルなど未知のセルを識別するために、ＵＥは、そのセルのタイミングと、最終的にはそのセルのＰＣＩとを取得しなければならない。これは、セルサーチ又はセル識別と呼ばれる。続いて、ＵＥは、新たに識別されたセルのＲＳＲＰ及び／又はＲＳＲＱをも測定して、それを自身で使用し及び／又はネットワークノードへレポートする。合計で５０４個のＰＣＩが存在する。セルサーチもまた一種の測定である。
【０００６】
＜無線ネットワークノード測定＞
モビリティ（例えば、セル選択、ハンドオーバなど）、ＵＥの測位、リンク適応、スケジューリング、負荷分散、流入制御、干渉管理、干渉軽減などといった様々な機能をサポートするために、無線ネットワークノードは、当該無線ネットワークノードにより送信され及び／又は受信される信号に関する無線測定をも実行する。そうした測定の例は、信号対雑音比（ＳＮＲ）、信号対干渉及び雑音比（ＳＩＮＲ）、受信干渉電力（ＲＩＰ）、ブロックエラーレート（ＢＬＥＲ）、ＵＥと自身との間の伝播遅延、送信キャリア電力、特定の信号の送信電力（例えば、リファレンス信号の送信電力）、タイミングアドバンス（ＴＡ）のような測位測定、拡張又は進化型ノードＢ（ｅＮＢ）ＲＸ−ＴＸ時間差などである。
【０００７】
＜セルサーチ＞
ダウンリンクサブフレーム＃０及びダウンリンクサブフレーム＃５は、同期信号、即ちＰＳＳ及びＳＳＳの双方を搬送する。例えば新たな隣接セルといった未知のセルを識別するために、ＵＥは、そのセルのタイミングと、最終的にはそのセルのＰＣＩとを取得しなければならない。続いて、ＵＥは、新たに識別されたセルのＲＳＲＰ及び／又はＲＳＲＱをも測定して、それを自身で使用し及び／又は測定結果をネットワークノードへレポートする。合計で５０４個のＰＣＩが存在する。
【０００８】
従って、ＵＥは、ダウンリンクサブフレーム＃０内の及び／又はダウンリンクサブフレーム＃５内の受信されるＰＳＳ／ＳＳＳと予め定義されるＰＳＳ／ＳＳＳシーケンスのうちの１つ以上との相関演算を行うことにより、セルをサーチし又は識別する（即ち、セルのＰＣＩを取得する）。ＰＣＩ取得のためのダウンリンクサブフレーム＃０及び／又はダウンリンクサブフレーム＃５の使用は、実装に依存する。ＵＥは、定期的に、ＵＥの少なくともサービングキャリア周波数上の隣接セルの識別を試行する。しかし、ＵＥは、ネットワークノードによりそうするように構成された場合には、非サービングキャリア上のセルをもサーチし得る。ＵＥの電力消費を節約するために、典型的には、ＵＥは、ダウンリンクサブフレーム＃０及び＃５のうちの１つにおいてサーチを行う。そのバッテリ電力をさらに節約するために、ＵＥは、不連続受信（ＤＲＸ）又はショートＤＲＸサイクル（例えば、最大４０ｍｓ）の最中には、４０ミリ秒（ｍｓ）ごとに１回セルをサーチする。より長いＤＲＸサイクルを使用している場合、ＵＥは、典型的には、ＤＲＸサイクルごとに１回セルをサーチする。各サーチ試行の期間中に、ＵＥは、典型的には、受信信号の５〜６ｍｓのスナップショットを記憶し、記憶した受信信号と既知のＰＳＳ／ＳＳＳシーケンスとの相関演算を行うことにより、記憶した受信信号をポストプロセスで処理する。非ＤＲＸにおいては、ＵＥは、８００ｍｓ以内にＲＳＲＰ／ＲＳＲＱ測定を含めてイントラ周波数セルを識別することができる（即ち、セル識別（ＰＣＩ取得）及びＲＳＲＰ／ＲＳＲＱ測定についてそれぞれ１５及び５サンプルを含む、計２０回の試行）。
【０００９】
＜ＬＴＥにおけるデバイスツーデバイス（Ｄ２Ｄ）動作及びＤ２Ｄ通信＞
Ｄ２Ｄ通信は、何らかのワイヤレスアクセスポイント又は基地局を通じて通信するよりもむしろ、ピアツーピアの（直接的な）形で近傍のデバイスが互いに通信することを可能にする。実践的には、３ＧＰＰ  ＬＴＥシステム内のＤ２Ｄ  ＵＥは、セルラーアップリンクスペクトルを利用し、即ち、スペクトルのアップリンク部分においてＤ２Ｄ信号又はチャネルを送信する。
【００１０】
旧来のアプローチによれば、ＵＥによりＤ２Ｄ動作は、半二重（half-duplex）モードでなされ、即ち、ＵＥは、Ｄ２Ｄ信号／チャネルを送信するか又はＤ２Ｄ信号／チャネルを受信するかのいずれかを行うことができる。他のＤ２Ｄ  ＵＥへ何らかの信号を中継し得るＤ２ＤリレーＵＥも存在し得る。Ｄ２Ｄのための制御情報もまた存在し、そのうちのいくつかはＤ２Ｄ  ＵＥにより送信され、残り（例えば、セルラーダウンリンク制御チャネルを介して送信されるＤ２Ｄ通信向けのＤ２Ｄリソースグラント）は基地局又はｅＮＢにより送信される。Ｄ２Ｄ送信は、ネットワークにより構成され又はＤ２Ｄ  ＵＥにより自律的に選択されるリソース上で行われ得る。
【００１１】
特にＬＴＥにおいて、Ｄ２Ｄ通信は、Ｄ２Ｄ受信機として言及されるＤ２Ｄデータの受信機を支援するために、Ｄ２Ｄ送信機がＤ２Ｄデータとスケジューリング割り当て（ＳＡ）を伴うＤ２Ｄ通信制御情報とを送信することを示唆する。Ｄ２Ｄデータ送信は、構成されるパターンに従ってなされ、原理上は、むしろ頻繁に送信され得る。スケジューリング割り当ては、周期的に送信される。ネットワークカバレッジ内にいるＤ２Ｄ送信機は、Ｄ２Ｄ通信の送信信号のためのリソースをｅＮＢへリクエストし、それに応じて、ＳＡ及びＤ２ＤデータについてのＤ２Ｄリソースグラントを受信し得る。さらに、ｅＮＢは、Ｄ２Ｄ通信用のＤ２Ｄリソースプールをブロードキャストしてもよい。
【００１２】
Ｄ２Ｄディスカバリメッセージは、低頻度の周期的なサブフレーム内で送信される。ｅＮＢは、受信及び送信の双方について、Ｄ２Ｄディスカバリ用のＤ２Ｄリソースプールをブロードキャストしてもよい。
【００１３】
ＬＴＥにおいて、Ｄ２Ｄ通信は、モード１及びモード２という、Ｄ２Ｄ動作の２つの異なるモードをサポートする。モード１では、ブロードキャスト元のＵＥによるスケジューリング割り当ての送信のためのリソースの位置は、ｅＮＢに由来する。ブロードキャスト元のＵＥによるＤ２Ｄデータの送信のためのリソースの位置は、ｅＮＢに由来する。モード２では、スケジューリング割り当てのためのリソースプールは、予め構成され及び／又は準静的に割り当てられる。ＵＥは、スケジューリング割り当てのためのリソースを、スケジューリング割り当てのためのリソースプールから自ら選択して、自身のスケジューリング割り当てを送信する。
【００１４】
ＵＥがＤ２ＤからＷＡＮ（Wireless  Access  Network）又はＷＡＮからＤ２Ｄの間で受信を切り換える場合、１サブフレームのプライマリセル（ＰＣｅｌｌ）の中断が生じる。ここでは、ＷＡＮはセルラーネットワークをいう。これは、動作がＷＡＮからＤ２Ｄの受信へ及びＤ２ＤからＷＡＮの受信へ切り替えられる都度、ＵＥ受信機チェーンを再チューニングする必要があるためである。これは、Ｄ２ＤディスカバリＵＥ及びＤ２Ｄ通信対応型の双方のＵＥにあてはまる。重要なのは、あるサブフレーム、即ちＰＣｅｌｌのサブフレーム＃０及び／又は＃５において切り替えが行われるリスクを回避し又は最小化するような手法で、セルラーアップリンクとＤ２Ｄ動作との間でアップリンクリソースを区別することである。これらサブフレームは、セルサーチを実行し及びセル測定を遂行するために必要なＰＳＳ／ＳＳＳといった不可欠な情報を含み、システム情報（ＳＩ）を読み取る手続のために必要なＭＩＢ（Master  Information  Block）／ＳＩＢ１（System  Information  Block  type  1）情報をも含む。切り替えに起因して生じる中断に加えて、ＲＲＣ再構成手続に起因する１サブフレームの追加的な中断が存在するかもしれない。切り替えの中断は単一の受信側ＵＥ（例えば、Ｄ２Ｄディスカバリ対応型ＵＥ）について生じる一方で、ＲＲＣ再構成の中断は、全てのタイプのＤ２Ｄ  ＵＥ（例えば、Ｄ２Ｄディスカバリ対応型及びＤ２Ｄ通信対応型）について生じる。
【００１５】
Ｄ２Ｄ動作は、Ｄ２Ｄ通信対応型ＵＥ及び／又はＤ２Ｄディスカバリ対応型ＵＥによる任意のタイプのＤ２Ｄ信号（例えば、物理信号、物理チャネルなど）の送信及び／又は受信を含み得る一般的な用語である。従って、Ｄ２Ｄ動作を、ここではＤ２Ｄ送信、Ｄ２Ｄ受信、Ｄ２Ｄ通信などともいう。
【００１６】
ここでは、Ｄ２Ｄ  ＵＥを互換可能に近接性サービス（ＰｒｏＳｅ）対応型ＵＥともいう。同様に、ここでは、Ｄ２Ｄ動作を互換可能にＰｒｏＳｅ動作ともいう。また、Ｄ２Ｄディスカバリ対応型ＵＥをＰｒｏＳｅダイレクトディスカバリ可能なＵＥ、Ｄ２Ｄダイレクト通信ＵＥをＰｒｏＳｅダイレクト通信可能なＵＥともいう。また、Ｄ２Ｄ動作は、ここで互換可能にＰｒｏＳｅ動作として言及されてもよい。ＵＥ間のＰｒｏＳｅダイレクト通信及びＰｒｏＳｅダイレクトディスカバリのために使用されるリンク及び／又はキャリアを、ここではサイドリンクという。ＵＥにより実行されるＰｒｏＳｅ動作は、広くＰｒｏＳｅ受信（即ち、ＰｒｏＳｅ信号を受信すること）及び／又はＰｒｏＳｅ送信（即ち、ＰｒｏＳｅ信号を送信すること）からなり得る。Ｖ２Ｘ（Vehicle  to  X）動作は、Ｄ２Ｄ動作の他の派生である。Ｖ２Ｘは、車両と、他の車両、基盤及び歩行者のうちの任意の１つ以上との間の通信を可能にする。従って、Ｘは“車両の”を意味してもよく（即ち、Ｖ２Ｖ）、あるいはＸは“歩行者”を意味してもよく（即ち、Ｖ２Ｐ）、あるいはＸは“基盤”を意味してもよい（即ち、Ｖ２Ｉ）、などである。実施形態は、ＰｒｏＳｅ及びＶ２Ｘなどを含むいかなるタイプのＤ２Ｄ動作にも適用可能である。
【発明の概要】
【００１７】
ワイヤレスデバイスがデバイスツーデバイス（Ｄ２Ｄ）動作を行うことを意図され又は予期される非サービングキャリアに上記ワイヤレスデバイスにより適用されるべき測定ギャップの構成に関連するシステム及び方法がここに開示される。いくつかの実施形態において、セルラー通信ネットワークにおけるネットワークノードの動作の方法は、第１の周波数上で動作するサービングセルと共に構成されるワイヤレスデバイス（例えば、そのワイヤレスデバイスは、Ｄ２Ｄ動作のために使用するものと意図され又は予期される）が非サービング周波数である第２の周波数上で動作する非サービングセルへ同期しているかを判定すること、を含む。上記方法は、さらに、上記ワイヤレスデバイスが上記第２の周波数上で動作する上記非サービングセルへ同期しているかに基づいて、上記ワイヤレスデバイスを第１の測定ギャップ構成を適用するように構成すべきか又は第２の測定ギャップ構成を適用するように構成すべきかを判定すること、を含み、上記第１の測定ギャップ構成及び上記第２の測定ギャップ構成は、異なる測定ギャップ構成である。上記方法は、さらに、上記ネットワークノードにより判定される通りに、上記ワイヤレスデバイスを上記第１の測定ギャップ構成又は上記第２の測定ギャップ構成を適用するように構成する情報を上記ワイヤレスデバイスへ送信すること、を含む。このやり方で、例えば上記ワイヤレスデバイスが上記第２のキャリア上の上記非サービングセルへ同期していないと判定される場合に、上記ワイヤレスデバイスを、より長い又は拡張された測定ギャップと共に構成して、構成した当該測定ギャップの残余でＤ２Ｄ動作を実行する前に上記第２のキャリア上の上記非サービングセルへ同期するための追加的な時間を上記ワイヤレスデバイスへ提供することができる。
【００１８】
いくつかの実施形態において、上記方法は、上記ワイヤレスデバイスが第１の測定ギャップ構成と共に構成されるか又は第２の測定ギャップ構成と共に構成されるかに基づいて、上記ワイヤレスデバイスへの信号のスケジューリングを適応させること、をさらに含む。
【００１９】
いくつかの実施形態において、上記ワイヤレスデバイスを上記第１の測定ギャップ構成を適用するように構成すべきか又は上記第２の測定ギャップ構成を適用するように構成すべきかを判定することは、上記ワイヤレスデバイスが上記第２の周波数上で動作する上記非サービングセルへ同期しているとの判定に応じて、上記ワイヤレスデバイスを上記第１の測定ギャップ構成を適用するように構成すべきであると判定することと、上記ワイヤレスデバイスが上記第２の周波数上で動作する上記非サービングセルへ同期していないとの判定に応じて、上記ワイヤレスデバイスを上記第２の測定ギャップ構成を適用するように構成すべきであると判定することと、を含む。
【００２０】
いくつかの実施形態において、上記方法は、さらに、上記ワイヤレスデバイスが上記第２の周波数上で動作する上記非サービングセルからシステム情報を取得する必要があるかを判定すること、を含む。さらに、上記ワイヤレスデバイスを上記第１の測定ギャップ構成を適用するように構成すべきか又は上記第２の測定ギャップ構成を適用するように構成すべきかを判定することは、上記ワイヤレスデバイスが上記第２の周波数上で動作する上記非サービングセルへ同期しており、且つ、上記第２の周波数上で動作する上記非サービングセルからシステム情報を取得する必要が無いとの判定に応じて、上記ワイヤレスデバイスを上記第１の測定ギャップ構成を適用するように構成すべきであると判定することと、上記ワイヤレスデバイスが上記第２の周波数上で動作する上記非サービングセルへ同期しておらず、且つ／又は、上記第２の周波数上で動作する上記非サービングセルからシステム情報を取得する必要がある、との判定に応じて、上記ワイヤレスデバイスを上記第２の測定ギャップ構成を適用するように構成すべきであると判定することと、を含む。
【００２１】
いくつかの実施形態において、上記第１の測定ギャップ構成は、第１の測定ギャップ時間長を含み、上記第２の測定ギャップ構成は、第２の測定ギャップ時間長を含み、上記第２の測定ギャップ時間長は、上記第１の測定ギャップ時間長よりも大きい。さらに、いくつかの実施形態において、上記第２の測定ギャップ時間長は、上記第１の測定ギャップ時間長に加えて可変的な拡張分を含む。他の実施形態において、上記第２の測定ギャップ時間長は、上記第１の測定ギャップ時間長に加えて拡張分を含み、当該拡張分は、上記ワイヤレスデバイスが上記非サービングセルからシステム情報を取得することが必要か、上記ワイヤレスデバイスが上記非サービングセルから取得することが必要なシステム情報ブロックの数、上記ワイヤレスデバイスが上記非サービングセルからページングを取得することが必要か、及び、上記非サービングセルが上記ワイヤレスデバイスにより過去に知得済みであるか、からなる群のうちの少なくとも１つの関数である。いくつかの他の実施形態において、上記第２の測定ギャップ時間長は、上記第１の測定ギャップ時間長に加えて予め定義される変数である拡張分を含む。
【００２２】
いくつかの実施形態において、上記方法は、さらに、上記ワイヤレスデバイスが上記第２の周波数上で動作する上記非サービングセルからシステム情報を取得する必要があるかを判定すること、を含む。さらに、上記ワイヤレスデバイスを上記第１の測定ギャップ構成を適用するように構成すべきか又は上記第２の測定ギャップ構成を適用するように構成すべきかを判定することは、上記ワイヤレスデバイスが上記第２の周波数上で動作する上記非サービングセルへ同期しているか、及び、上記ワイヤレスデバイスが上記第２の周波数上で動作する上記非サービングセルからシステム情報を取得する必要があるか、に基づいて、上記ワイヤレスデバイスを上記第１の測定ギャップ構成を適用するように構成すべきか又は上記第２の測定ギャップ構成を適用するように構成すべきかを判定すること、を含む。
【００２３】
いくつかの実施形態において、上記ワイヤレスデバイスを上記第１の測定ギャップ構成を適用するように構成すべきか又は上記第２の測定ギャップ構成を適用するように構成すべきかを判定することは、上記ワイヤレスデバイスが上記第２の周波数上で動作する上記非サービングセルへ同期している確度が閾値よりも小さい場合に、周期的に上記第２の測定ギャップ構成を適用し、そうではない場合に、上記第１の測定ギャップ構成を適用する、ように上記ワイヤレスデバイスを構成すべきであると判定すること、を含む。
【００２４】
いくつかの実施形態において、上記ワイヤレスデバイスが上記第２の周波数上で動作する上記非サービングセルへ同期しているかを判定することは、上記非サービングセル上での上記ワイヤレスデバイスのタイミング精度、上記非サービングセルに対する上記ワイヤレスデバイスの速度、上記非サービングセルに対する上記ワイヤレスデバイスの位置、上記ワイヤレスデバイスのアクティビティに関する履歴データ、上記ワイヤレスデバイスがアイドル状態で動作しているか又は接続済み状態で動作しているか、上記ワイヤレスデバイスの無線リソース制御状態、上記ワイヤレスデバイスが不連続受信（ＤＲＸ）動作モードで動作しているか、上記ワイヤレスデバイスが最後にある測定ギャップ構成と共に構成されてから経過した時間量、上記ワイヤレスデバイスが最後に上記第２の測定ギャップ構成と共に構成されてから経過した時間量、上記セルラー通信ネットワーク内の１つ以上の他のノードから受信される情報、及び、上記非サービングセルを基準とした上記ワイヤレスデバイスの同期ステータスの、上記ワイヤレスデバイスから受信される暗黙的な又は明示的な標識、のうちの少なくとも１つに基づいて、上記ワイヤレスデバイスが上記第２の周波数上で動作する上記非サービングセルへ同期しているかを判定すること、を含む。
【００２５】
セルラー通信ネットワークのためのネットワークノードの実施形態もまた開示される。いくつかの実施形態において、セルラー通信ネットワークのためのネットワークノードは、第１の周波数上で動作するサービングセルと共に構成されるワイヤレスデバイスが非サービング周波数である第２の周波数上で動作する非サービングセルへ同期しているかを判定する、ように適合され、例えば、そのワイヤレスデバイスは、Ｄ２Ｄ動作のために使用するものと意図され又は予期される。上記ネットワークノードは、さらに、上記ワイヤレスデバイスが上記第２の周波数上で動作する上記非サービングセルへ同期しているかに基づいて、上記ワイヤレスデバイスを第１の測定ギャップ構成を適用するように構成すべきか又は第２の測定ギャップ構成を適用するように構成すべきかを判定する、ように適合され、上記第１の測定ギャップ構成及び上記第２の測定ギャップ構成は、異なる測定ギャップ構成である。上記ネットワークノードは、さらに、上記ネットワークノードにより判定される通りに、上記ワイヤレスデバイスを上記第１の測定ギャップ構成又は上記第２の測定ギャップ構成を適用するように構成する情報を上記ワイヤレスデバイスへ送信する、ように適合される。いくつかの実施形態において、上記ネットワークノードは、ここで開示されるネットワークノードの動作の上記方法の実施形態のうちのいずれか１つに従って動作する、ようにさらに適合される。
【００２６】
いくつかの実施形態において、セルラー通信ネットワークのためのネットワークノードは、プロセッサと、上記プロセッサにより実行可能な命令を含むメモリと、を備え、それにより、上記ネットワークノードは、次のように動作する。上記ネットワークノードは、第１の周波数上で動作するサービングセルと共に構成されるワイヤレスデバイスが非サービング周波数である第２の周波数上で動作する非サービングセルへ同期しているかを判定し、例えば、そのワイヤレスデバイスは、Ｄ２Ｄ動作のために使用するものと意図され又は予期される。上記ネットワークノードは、上記ワイヤレスデバイスが上記第２の周波数上で動作する上記非サービングセルへ同期しているかに基づいて、上記ワイヤレスデバイスを第１の測定ギャップ構成を適用するように構成すべきか又は第２の測定ギャップ構成を適用するように構成すべきかを判定し、上記第１の測定ギャップ構成及び上記第２の測定ギャップ構成は、異なる測定ギャップ構成である。上記ネットワークノードは、上記ネットワークノードにより判定される通りに、上記ワイヤレスデバイスを上記第１の測定ギャップ構成又は上記第２の測定ギャップ構成を適用するように構成する情報を上記ワイヤレスデバイスへ送信する、ようにさらに動作する。
【００２７】
いくつかの実施形態において、セルラー通信ネットワークのためのネットワークノードは、第１判定モジュール、第２判定モジュール及び送信モジュールを備える。上記第１判定モジュールは、第１の周波数上で動作するサービングセルと共に構成されるワイヤレスデバイスが非サービング周波数である第２の周波数上で動作する非サービングセルへ同期しているかを判定する、ように動作可能であり、例えば、そのワイヤレスデバイスは、Ｄ２Ｄ動作のために使用するものと意図され又は予期される。上記第２判定モジュールは、上記ワイヤレスデバイスが上記第２の周波数上で動作する上記非サービングセルへ同期しているかに基づいて、上記ワイヤレスデバイスを第１の測定ギャップ構成を適用するように構成すべきか又は第２の測定ギャップ構成を適用するように構成すべきかを判定する、ように動作可能であり、上記第１の測定ギャップ構成及び上記第２の測定ギャップ構成は、異なる測定ギャップ構成である。上記送信モジュールは、上記ネットワークノードにより判定される通りに、上記ワイヤレスデバイスを上記第１の測定ギャップ構成又は上記第２の測定ギャップ構成を適用するように構成する情報を上記ワイヤレスデバイスへ送信する、ように動作可能である。
【００２８】
セルラー通信ネットワークにおけるワイヤレスデバイスの動作の方法の実施形態もまた開示される。いくつかの実施形態において、セルラー通信ネットワークにおけるワイヤレスデバイスの動作の方法は、第１の周波数上で動作するサービングセルと共に構成される上記ワイヤレスデバイスが非サービング周波数である第２の周波数上で動作する非サービングセルへ同期しているかを判定するための第１の情報を取得すること、を含み、例えば、そのワイヤレスデバイスは、Ｄ２Ｄ動作のために使用するものと意図され又は予期される。上記方法は、さらに、上記ワイヤレスデバイスが上記第２の周波数上で動作する上記非サービングセルへ同期しているかを、上記第１の情報に基づいて判定することと、上記ワイヤレスデバイスが上記第２の周波数上で動作する上記非サービングセルへ同期していないという判定に応じて、リクエストをネットワークノードへ送信することと、を含む。上記リクエストは、上記ワイヤレスデバイスが上記第２の周波数上で動作する上記非サービングセルへ同期していないという標識、上記ワイヤレスデバイスがＤ２Ｄ動作を行う前に上記非サービングセルへ同期する目的で拡張測定ギャップを必要とするという標識、及び、Ｄ２Ｄ動作を実行する目的で上記非サービングセルへ同期するために上記ワイヤレスデバイスによりリクエストされる拡張されたギャップの時間長、のうちの少なくとも１つを含む。
【００２９】
いくつかの実施形態において、上記方法は、上記リクエストへの応答として、上記ワイヤレスデバイスについての測定ギャップ構成を含む第２の情報を、上記ネットワークノードから受信すること、をさらに含む。上記測定ギャップ構成は、上記ワイヤレスデバイスが上記非サービングセルへ同期するための測定ギャップ拡張分を含む時間長に加えて上記ワイヤレスデバイスがＤ２Ｄ動作を実行可能な測定ギャップ時間長を有する測定ギャップである拡張測定ギャップについての構成を含む。上記方法は、上記第２の情報に従って上記ワイヤレスデバイスにより適用される測定ギャップ構成を構成することと、構成される上記測定ギャップ時間長を有する測定ギャップの期間中に、上記第２の周波数上で動作する上記非サービングセルへ同期し及び上記第２の周波数上で動作する上記非サービングセル上でＤ２Ｄ動作を実行することと、をさらに含む。
【００３０】
いくつかの実施形態において、上記方法は、上記ワイヤレスデバイスの測定ギャップ構成を適応化すること、をさらに含む。
【００３１】
いくつかの実施形態において、上記ワイヤレスデバイスが上記第２の周波数上で動作する上記非サービングセルへ同期しているかを判定することは、上記非サービングセル上での上記ワイヤレスデバイスのタイミング精度、上記非サービングセルに対する上記ワイヤレスデバイスの速度、上記非サービングセルに対する上記ワイヤレスデバイスの位置、上記ワイヤレスデバイスのアクティビティに関する履歴データ、上記ワイヤレスデバイスがアイドル状態で動作しているか又は接続済み状態で動作しているか、上記ワイヤレスデバイスの無線リソース制御状態、上記ワイヤレスデバイスがＤＲＸ動作モードで動作しているか、上記ワイヤレスデバイスが最後にある測定ギャップ構成と共に構成されてから経過した時間量、上記ワイヤレスデバイスが最後に拡張測定ギャップと共に構成されてから経過した時間量、及び、上記セルラー通信ネットワーク内の１つ以上の他のノードから受信される情報、のうちの少なくとも１つに基づいて、上記ワイヤレスデバイスが上記第２の周波数上で動作する上記非サービングセルへ同期しているかを判定すること、を含む。
【００３２】
セルラー通信ネットワークのためのワイヤレスデバイスの実施形態もまた開示される。いくつかの実施形態において、セルラー通信ネットワークのためのワイヤレスデバイスは、第１の周波数上で動作するサービングセルと共に構成される上記ワイヤレスデバイスが非サービング周波数である第２の周波数上で動作する非サービングセルへ同期しているかを判定するための第１の情報を取得する、ように適合され、例えば、そのワイヤレスデバイスは、Ｄ２Ｄ動作のために使用するものと意図され又は予期される。上記ワイヤレスデバイスは、さらに、上記ワイヤレスデバイスが上記第２の周波数上で動作する上記非サービングセルへ同期しているかを、上記第１の情報に基づいて判定し、上記ワイヤレスデバイスが上記第２の周波数上で動作する上記非サービングセルへ同期していないという判定に応じて、リクエストをネットワークノードへ送信する、ように適合される。上記リクエストは、上記ワイヤレスデバイスが上記第２の周波数上で動作する上記非サービングセルへ同期していないという標識、上記ワイヤレスデバイスがＤ２Ｄ動作を行う前に上記非サービングセルへ同期する目的で拡張測定ギャップを必要とするという標識、及び、Ｄ２Ｄ動作を実行する目的で上記非サービングセルへ同期するために上記ワイヤレスデバイスによりリクエストされる拡張されたギャップの時間長、のうちの少なくとも１つを含む。いくつかの実施形態において、上記ワイヤレスデバイスは、ここで開示されるワイヤレスデバイスの動作の上記方法のいずれか１つに従って動作する、ようにさらに適合される。
【００３３】
いくつかの実施形態において、セルラー通信ネットワークのためのワイヤレスデバイスは、送受信機と、プロセッサと、上記プロセッサにより実行可能な命令を含むメモリと、を備え、それにより、上記ワイヤレスデバイスは、次のように動作する、ように動作可能である。上記ワイヤレスデバイスは、第１の周波数上で動作するサービングセルと共に構成される上記ワイヤレスデバイスが非サービング周波数である第２の周波数上で動作する非サービングセルへ同期しているかを判定するための第１の情報を取得し、例えば、そのワイヤレスデバイスは、Ｄ２Ｄ動作のために使用するものと意図され又は予期される。上記ワイヤレスデバイスは、さらに、上記ワイヤレスデバイスが上記第２の周波数上で動作する上記非サービングセルへ同期しているかを、上記第１の情報に基づいて判定し、上記ワイヤレスデバイスが上記第２の周波数上で動作する上記非サービングセルへ同期していないという判定に応じて、リクエストをネットワークノードへ送信する、ように動作する。上記リクエストは、上記ワイヤレスデバイスが上記第２の周波数上で動作する上記非サービングセルへ同期していないという標識、上記ワイヤレスデバイスがＤ２Ｄ動作を行う前に上記非サービングセルへ同期する目的で拡張測定ギャップを必要とするという標識、及び、Ｄ２Ｄ動作を実行する目的で上記非サービングセルへ同期するために上記ワイヤレスデバイスによりリクエストされる拡張されたギャップの時間長、のうちの少なくとも１つを含む。
【００３４】
いくつかの実施形態において、セルラー通信ネットワークのためのワイヤレスデバイスは、取得モジュール、判定モジュール及び送信モジュールを備える。上記取得モジュールは、第１の周波数上で動作するサービングセルと共に構成される上記ワイヤレスデバイスが非サービング周波数である第２の周波数上で動作する非サービングセルへ同期しているかを判定するための第１の情報を取得する、ように動作可能であり、例えば、そのワイヤレスデバイスは、Ｄ２Ｄ動作のために使用するものと意図され又は予期される。上記判定モジュールは、上記ワイヤレスデバイスが上記第２の周波数上で動作する上記非サービングセルへ同期しているかを、上記第１の情報に基づいて判定する、ように動作可能である。上記送信モジュールは、上記ワイヤレスデバイスが上記第２の周波数上で動作する上記非サービングセルへ同期していないという上記判定モジュールによる判定に応じて、リクエストをネットワークノードへ送信する、ように動作可能である。上記リクエストは、上記ワイヤレスデバイスが上記第２の周波数上で動作する上記非サービングセルへ同期していないという標識、上記ワイヤレスデバイスがＤ２Ｄ動作を行う前に上記非サービングセルへ同期する目的で拡張測定ギャップを必要とするという標識、及び、Ｄ２Ｄ動作を実行する目的で上記非サービングセルへ同期するために上記ワイヤレスデバイスによりリクエストされる拡張されたギャップの時間長、のうちの少なくとも１つを含む。
【００３５】
当業者は、添付図面の図との関連において以下の実施形態の詳細な説明を読んだ後に、本開示のスコープを認識し及びそれらの追加的な観点を理解するであろう。
【図面の簡単な説明】
【００３６】
本明細書に取り入れられその一部をなす添付図面の図は、本開示の複数の観点を示しており、その説明と共に、本開示の原理の説明に供される。それら図面は、開示される主題の選択された実施形態を示している。図面において、類似の参照ラベルは類似する特徴を表す。
【００３７】
【図１】例えばインターＰＬＭＮ（Public  Land  Mobile  Network）通信といった、非サービングキャリアにおける通信の一例を示している。
【図２】本開示の実施形態が実装され得るセルラー通信ネットワークの１つの例であるＬＴＥ（Long  Term  Evolution）ネットワークを示す図である。
【図３Ａ】例示的な実施形態に係る方法を示すフローチャートである。
【図３Ｂ】例示的な実施形態に係る方法を示すフローチャートである。
【図４】他の例示的な実施形態に係る方法を示すフローチャートである。
【図５】例示的な実施形態に従ってある複数の動作のタイミングを示す図である。
【図６】ワイヤレス通信デバイスの例示的な実施形態を示す図である。
【図７】ワイヤレス通信デバイスの例示的な実施形態を示す図である。
【図８】無線アクセスノードの例示的な実施形態を示す図である。
【図９】無線アクセスノードの例示的な実施形態を示す図である。
【図１０】無線アクセスノードの例示的な実施形態を示す図である。
【発明を実施するための形態】
【００３８】
以下に説示する実施形態は、それら実施形態を当業者が実践することを可能にし及びそれら実施形態の実践の最良の形態を例示する情報を表す。添付図面の図を踏まえて以下の説明を読めば、当業者は、本開示の概念を理解し、ここで具体的には扱われていないそれら概念の応用を認識するであろう。それら概念及び応用は、本開示及び添付の特許請求の範囲のスコープの範囲内に入るものと理解されるべきである。
【００３９】
以下の説明は、開示される主題の多様な実施形態を提示する。それら実施形態は、教示の例として提示されており、開示される主題のスコープを限定するものとして解釈されないものとする。例えば、説明される実施形態のある詳細が、説明される手段のスコープから逸脱することなく、修正され、省略され又は拡張されてもよい。
【００４０】
いくつかの実施形態において、一般的な用語である“ネットワークノード”が使用されており、それは、任意のタイプの無線ネットワークノード、又は、ユーザ機器（ＵＥ）及び／若しくは他のネットワークノードと通信する任意のネットワークノードに相当し得る。ネットワークノードの例は、ノードＢ、ＭｅＮＢ（Master  enhanced  or  evolved  Node  B）、ＳｅＮＢ（Secondary  enhanced  or  evolved  Node  B）、ＭＣＧ（Master  Cell  Group）又はＳＣＧ（Secondary  Cell  Group）に属するネットワークノード、基地局、ＭＳＲ（Multi-Standard  Radio）基地局といったＭＳＲ無線ノード、ｅＮＢ（enhanced  or  evolved  Node  B）、ネットワークコントローラ、無線ネットワークコントローラ（Radio  Network  Controller）、基地局コントローラ（ＢＳＣ）、リレー、リレーを制御するドナーノード、基地送受信局（ＢＴＳ）、アクセスポイント（ＡＰ）、送信ポイント、送信ノード、ＲＲＵ（Remote  Radio  Unit）、ＲＲＨ（Remote  Radio  Head）、ＤＡＳ（Distributed  Antenna  System）内のノード、コアネットワークノード（例えば、ＭＳＣ（Mobile  Switching  Center）、ＭＭＥ（Mobility  Management  Entity）など）、Ｏ＆Ｍ（Operations  and  Maintenance）、ＯＳＳ（Operations  Support  System）、ＳＯＮ（Self-Organizing  Network）、測位ノード（例えば、Ｅ−ＳＭＬＣ（Evolved  Serving  Mobile  Location  Center）、ＭＤＴ（Minimization  of  Drive  Test）などである。
【００４１】
いくつかの実施形態において、非限定的な用語であるＵＥが使用されており、それは、セルラー又はモバイル通信システム内のネットワークノード及び／若しくは他のＵＥと通信する任意のタイプのワイヤレスデバイスをいう。ＵＥの例は、ターゲットデバイス、Ｄ２Ｄ（Device-to-Device）ＵＥ、マシンタイプＵＥ若しくはマシンツーマシン（Ｍ２Ｍ）通信可能なＵＥ、ＰＤＡ（Personal  Digital  Assistant）、タブレット、移動端末、スマートフォン、ＬＥＥ（Laptop  Embedded  Equipment）、ＬＭＥ（Laptop  Mounted  Equipment）、ＵＳＢ（Universal  Serial  Bus）ドングルなどである。
【００４２】
ある実施形態は、ＬＴＥ（Long  Term  Evolution）との関連において説明される。しかしながら、説明されるそれら実施形態は、ＵＥが信号（例えば、データ）を受信し及び／又は送信する、いかなる無線アクセス技術（ＲＡＴ）又はマルチＲＡＴシステムにも適用可能であってよく、例えば、ＬＴＥ  ＦＤＤ（Frequency  Division  Duplexing）／ＴＤＤ（Time  Division  Duplexing）、ＷＣＤＭＡ（Wideband  Code  Division  Multiple  Access）／ＨＳＰＡ（High  Speed  Pack  Access）、ＧＳＭ（Global  System  for  Mobile  communications）／ＧＥＲＡＮ（GSM  Enhanced  Data  Rates  for  Global  Evolution  (EDGE)  Radio  Access  Network  ）、Ｗｉ−Ｆｉ、ＷＬＡＮ（Wireless  Local  Area  Network）、ＣＤＭＡ２０００（Code  Division  Multiple  Access  2000）などである。
【００４３】
これまで、Ｄ２Ｄ動作のための手続、要件及びサポートは、プライマリセル（ＰＣｅｌｌ）上での動作のみのために存在している。Ｄ２Ｄ動作をＵＥの非サービングキャリア上でいかに動かすことができるかについて定義した手続又は要件は存在しない。非サービングキャリアは、ＵＥのサービングセル（例えば、ＰＣｅｌｌ、セカンダリセル（ＳＣｅｌｌ）、プライマリＳＣｅｌｌ（ＰＳＣｅｌｌ）など）が動作するキャリアとは異なるタイミングを有することができ、有する可能性がある。例えば、非サービングキャリアの送信タイミングは、ＵＥの１つ以上のサービングセルのタイミングを基準として１つ以上の時間単位又は時間リソースだけシフトされることができ、ＵＥの１つ以上のサービングセルの送信タイミングに対して任意であり得る。時間単位又は時間リソースの例は、シンボル、時間スロット、サブフレーム又はフレームなどである。また、サービングセル及び非サービングキャリア上のセル（即ち、非サービングセル）は、同じロケーションに位置していないかもしれない。言い換えると、サービングセル及び非サービングセルは、異なる地理的位置にある無線アクセスノードによりサービスされているかもしれない。これもまた、ＵＥにおいてサービングセル及び非サービングキャリア上のセルからの信号の到来時間が異なる結果をもたらす。Ｄ２Ｄ通信は、典型的には、セルラー通信ネットワークのアップリンクリソース上で運用され、即ち、サイドリンクリソースがＦＤＤシステムではそのキャリア上に構成され、ＴＤＤシステムではアップリンクサブフレームである。従って、ＵＥは、Ｄ２Ｄ動作が行われるキャリア（即ち、アップリンクキャリア）のタイミングを取得し、そのキャリア上でＤ２Ｄ信号を送信／受信するために時間及び周波数の双方において自身の受信機／送信機を同期させる必要がある。アップリンクキャリア上のアップリンク信号のアップリンク送信タイミングは、対応するダウンリンクキャリア上で受信されるダウンリンク信号のダウンリンク受信タイミングに基づいて、ＵＥにより導出される。
【００４４】
従って、非サービングキャリア（即ち、アップリンクリソース）上でＰｒｏＳｅ（Proximity  Services）（即ち、Ｄ２Ｄ）動作を行う目的で、ＵＥは、非サービングキャリア上のセルをまず検出し、次いでそのキャリアへ同期する必要がある。セル検出手続は、セルの物理セルアイデンティティ（ＰＣＩ）又はそのキャリア上の任意の他の同期リファレンスを取得するための、プライマリ同期信号（ＰＳＳ）／セカンダリ同期信号（ＳＳＳ）、及び／又はプライマリサイドリンク同期信号（ＰＳＳＳ）／セカンダリサイドリンク同期信号（ＳＳＳＳ）の取得を含み得る。その後、ＵＥは、そのキャリア上での送信又は受信を開始可能となる前に、時間及び周波数の双方において同期を行って、自身の時間及び周波数追跡機能を合わせることを必要とする。これのために、ＵＥは、ダウンリンクサブフレーム上で測定を行って、自身の時間及び周波数ループを調整し、振幅利得制御（ＡＧＣ）設定や時間及び周波数追跡ループなどのための時間を確保する必要がある。
【００４５】
ＰｒｏＳｅの実行を意図するキャリアとは異なるサービングキャリアを有するＵＥは、そのサービングキャリアとは異なるキャリアであるが故に、上述したような同期手続を実行することができない。従って、ＵＥは、測定を行ってその非サービングキャリアへ同期することができない。例えば、それはインター周波数キャリアであり得る。今日、非サービングキャリア上でのＤ２Ｄ動作のためにＵＥが同期を実行し及び維持するための手続は存在しない。非サービングキャリアへの同期が無ければ、ＵＥは、Ｄ２Ｄ動作のためにそのキャリア上で動作する（送信又は受信を行う）ことができない。
【００４６】
旧来の技術の上述した及び他の欠点が、以下に説明するある実施形態により対処され得る。
【００４７】
ある実施形態は、あるＵＥが自身のサービングキャリアではないキャリアＦ２上で動作する（送信又は受信を行う）ことを意図する状況に適用される。その非サービングキャリアＦ２は、図１の例に描いたように、他の事業者へ属することができ、図１では、非サービングキャリアは異なるＰＬＭＮ（Public  Land  Mobile  Network）へ属している。あるいは、それは同一の事業者へ属するもののネットワークによりそのＵＥのためのサービングキャリアとして構成されないキャリアであり得る。あるいは、それはＵＥがセルラー動作ではなくＰｒｏＳｅ動作を行うことを承認されたカバレッジ外（out-of-coverage）キャリアでさえあり得る。非サービングキャリアＦ２は、例えば公衆安全キャリアといった専用キャリアであることもでき、公衆安全キャリアでは、ＵＥは、例えば公衆安全の目的のための何らかの動作のみを行うように予め構成済みである。
【００４８】
上の全てのケースにおいて、特定のシナリオに関わらず、送受信の前に、ＵＥは、非サービングキャリアから同期信号を取得しなければならない。同期信号は、あるセルのＰＳＳ／ＳＳＳ、又は他の検出される同期ソースのＰＳＳＳ／ＳＳＳＳであることができ、例えば、他の検出されるＵＥが非サービングキャリアにおいてカバレッジ外であるケースでは、そのＵＥのＰＳＳＳ／ＳＳＳＳであることができる。
【００４９】
以下において、簡明さのために、本開示は、リリース１２において３ＧＰＰ（Third  Generation  Partnership  Project）により仕様化されたＰｒｏＳｅダイレクトディスカバリ又はＰｒｏＳｅダイレクト通信の分野における非サービングキャリア送信／受信を参照する。しかしながら、例えばＶ２Ｘ（Vehicle  to  X）、インターＰＬＭＮ通信など、他の文脈にも以下の実施形態を容易に一般化することができる。
【００５０】
説明される実施形態は、任意の適した通信標準をサポートし及び任意の適したコンポーネントを使用する任意の適切なタイプの通信システムに実装されてよい。１つの例として、ある実施形態は、図２に示したネットワークなどのＬＴＥネットワークにおいて実装されてもよい。
【００５１】
図２を参照すると、通信ネットワーク１０は、複数のワイヤレス通信デバイス１２（例えば、旧来のＵＥ又はマシンタイプ通信（ＭＴＣ）／Ｍ２Ｍ  ＵＥ）及び複数の無線アクセスノード１４（例えば、ｅＮＢ又は他の基地局）を含む。通信ネットワーク１０は、複数の無線アクセスノード１４によりサービスされる複数のセル１６へ編成され、それらセル１６は対応する無線アクセスノード１４を介してコアネットワーク１８へ接続される。無線アクセスノード１４は、ワイヤレス通信デバイス間の通信又はワイヤレス通信デバイスと（固定電話といった）他の通信デバイスとの間の通信をサポートするために適した何らかの追加的なエレメントを伴って、ワイヤレス通信デバイス１２と通信可能である。通信ネットワーク１０は、この例ではＬＴＥネットワークであるが、より一般には、いかなるタイプのセルラー通信ネットワークであってもよい。よって、この点において、通信ネットワーク１０をここではセルラー通信ネットワーク１０ともいう。同様に、ワイヤレス通信デバイス１２は、いくつかの例ではＵＥであり、そのため、ワイヤレス通信デバイス１２をここではＵＥ１２ということがある。同じように、無線アクセスノード１４は、いくつかの例ではｅＮＢであり、そのため、無線アクセスノード１４をここではｅＮＢ１４ということがある。
【００５２】
本開示の実施形態を説明する前に、本開示の実施形態が適用される概略的なシナリオを手短に議論しておくことが有益である。１つの例示的なシナリオは、第１のセルへサービスする少なくとも１つのネットワークノード（例えば、無線アクセスノード１４）を含み、第１のセルをサービングセルとしても知られるＰＣｅｌｌであるとしよう。Ｄ２Ｄ対応型のＵＥ１２は、ＰＣｅｌｌにより、サイドリンク上のＤ２Ｄ  ＵＥ１２のＰｒｏＳｅ動作のためのＰｒｏＳｅリソースと共に予め構成され得る。予め構成されるＰｒｏＳｅリソースは、特に、Ｄ２Ｄ  ＵＥ１２によりネットワーク外カバレッジ（ＯＮＣ：Out-of-Network-Coverage）で動作する際に使用され得る。サイドリンクは、典型的には、サービングキャリア周波数又はイントラ周波数キャリアとしても知られるＰＣｅｌｌのキャリア上で動作し得る。サイドリンクは、Ｄ２Ｄ  ＵＥ１２の非サービングキャリア上でのＰｒｏＳｅ動作のためにも構成され得る。非サービングキャリアは、インター周波数キャリア、インターＲＡＴキャリア、又はサービングキャリアとして構成されない任意のキャリアであることができる。例えば、非サービングキャリアは、ＷＡＮ（Wireless  Access  Network）測定を行うためのインター周波数キャリア周波数又はＰｒｏＳｅ動作を行うためにのみ構成されるキャリア周波数として構成されるキャリアであり得る。
【００５３】
いくつかの実施形態において、Ｄ２Ｄは、必要に応じて構成可能な他のセルと共に構成されてもよく、それをＳＣｅｌｌであるＳＣｅｌｌ１としよう。いくつかの実施形態において、ＳＣｅｌｌ１は、第２のネットワークノード（例えば、第２の無線アクセスノード１４）によりサービスされ得る。実施形態はＰＣｅｌｌ及び１つ以上のＳＣｅｌｌが同じネットワークノードによりサービスされるか又は異なるネットワークノードによりサービスされるかに関わらず適用される。このケースにおいて、ＰＣｅｌｌのキャリア上、ＳＣｅｌｌのキャリア上、又は任意の非サービングキャリアのキャリア上で動作し得るサイドリンク上のＰｒｏＳｅ動作用のＰｒｏＳｅリソースと共に、Ｄ２Ｄ  ＵＥ１２を予め構成することができる。Ｄ２Ｄ  ＵＥ１２は、例えばＰＣｅｌｌのキャリア、ＳＣｅｌｌ１、及び非サービングキャリアといった、複数のサイドリンク上でのＰｒｏＳｅ動作のためのＰｒｏＳｅリソースと共に予め構成されることができる。
【００５４】
ネットワークノードは、必要に応じて、異なるキャリア上の第３のセルＳＣｅｌｌ２と共にＤ２Ｄ  ＵＥを構成してもよい。本開示において提示される実施形態は、いかなる数のＳＣｅｌｌを伴うキャリアアグリゲーション（ＣＡ）と共に構成されるＵＥにも適用されてよい。
【００５５】
いくつかの実施形態において、ＵＥは、デュアルコネクティビティでのように、ＰＣｅｌｌ及びＰＳＣｅｌｌと共に構成されてもよく、又はＰＣｅｌｌ、ＰＳＣｅｌｌ及び１つ以上のＳＣｅｌｌと共に構成されてもよい。構成されるセルは、ＵＥ固有であり、説明される実施形態は、構成される各セル上でＵＥごとに適用され得る。
【００５６】
また、Ｄ２Ｄ  ＵＥ１２は、構成されるキャリアのセル上で測定を行うための１つ以上のキャリアと共に構成されてもよい。ＵＥ１２は、アイドル状態での及び／又は接続済み状態での測定のために、そうしたキャリアと共に構成されてもよい。
【００５７】
ＵＥ１２は、キャリアＦ１上の少なくとも１つのサービングセル（例えば、ＰＣｅｌｌ）と共に構成される。次の２つの例示的なケースがある：（１）ＵＥ１２は、非サービングキャリア（Ｆ２）上で少なくとも１つの非サービングセル（セル２）のアップリンクリソース（例えば、サイドリンク）上でＰｒｏＳｅ（例えば、ディスカバリ）を開始することを意図する；（２）ネットワークノード（例えば、無線アクセスノード１４）は、Ｆ２上のセル２のアップリンクリソース上でＰｒｏＳｅ（例えば、ディスカバリ）を開始することをＵＥ１２へリクエストし得る。ケース（１）では、ＵＥ１２がネットワークノードへリクエストを送信し、それに応じてネットワークノードがＦ２上のセル２でのＰｒｏＳｅのためにＵＥ１２へギャップを割り当てる。ケース（２）では、ネットワークノードがギャップを用いてＦ２上でＰｒｏＳｅを開始させるリクエストをＵＥ１２へ送信し、ＵＥ１２へのギャップ構成の提供なども行う。
【００５８】
ギャップは、周期的であっても非周期的であってもよい。また、ギャップは、１回限り（one  shot）であってもよく、例えばＵＥ１２において一度に１回のギャップが構成される。ギャップの期間中に、ＵＥ１２は、サービングセルにおいて信号を受信し及び送信することを要しない。ギャップ（即ち、サービングセル動作の休止）は、ＵＥ１２が自身のリソース（例えば、受信機、局部発振器、電力増幅器のような無線周波数（ＲＦ）コンポーネント）をＰｒｏＳｅ動作を行うために再利用することを可能にする。従って、ギャップにおいて、ＵＥ１２は、非サービングセル上でＰｒｏＳｅ信号を受信し及び／又は送信することができる。この構成は、ここでは互換可能に第１のギャップ構成と呼ばれ得る。
【００５９】
ギャップの例は、ＵＥ測定を行うためにＵＥ１２により使用される周期的な測定ギャップである。ギャップは、典型的には、ネットワークにより制御され、即ち、ネットワークノードによりＵＥ１２にて構成される。より具体的には、そうした周期的な測定ギャップは、４０ｍｓ又は８０ｍｓごとに生じる６ミリ秒（ｍｓ）のギャップ長を有するギャップを含む。ギャップ超は、６ｍｓよりも短くても長くてもよく、例えば、それをＵＥによりＰｒｏＳｅ動作が実行されることになる時間長に等しくすることができる。より短いギャップの例は３ｍｓであり、より長いギャップは２０ｍｓである。
【００６０】
ギャップ構成は、ネットワークノードによりＵＥ１２へシグナリグされ得る、ビットマップの形式で表現されてもよい。ＵＥ１２は、ギャップ構成を受信すると、受信した情報に基づいてギャップを生成する。ビットマップは、周期的であっても非周期的であってもよい。ビットマップの形式で表現されるギャップの例は、次の通りである：
・{0000111110}，{0000000000}，{0000111110}，{0000000000}，…}；
２フレームごとに５サブフレーム分のギャップを伴う周期的なビットマップ
・{0000111111}；６サブフレーム分のギャップを伴う周期的なビットマップ
上の例では、ビット“１”がギャップを伴うサブフレームを意味し、ビット“０”がサービングセル動作を伴うサブフレームを意味する。
【００６１】
各ギャップ内で、サービングキャリアから非サービングキャリアへのＲＦチューニングのために１サブフレームが使用され、非サービングキャリアからサービングキャリアへのＲＦチューニングのためにやはり１ｍｓが使用されるものと想定され得る。
【００６２】
＜１  ネットワークノードにおける方法＞
図３Ａ及び図３Ｂ並びに図４は、説明される主題のある例示的な実施形態を示している。図３Ａは、ＰｒｏＳｅ対応型ＵＥ１２へサービスするネットワークノード（例えば、無線アクセスノード又はｅＮＢ１４）における方法を示している。その方法は、次のことを含む：
・ＵＥが非サービングキャリア（Ｆ２）上の第２のセル（セル２）へ同期しているかを判定（ステップ１００）。言い換えると、ネットワークノードは、第１の周波数（Ｆ１）上で動作するサービングセル１６と共に構成されるＵＥ１２が非サービング周波数又は第２の周波数（Ｆ２）上で動作する非サービングセル又は第２のセル（セル２）へ同期しているかを判定する。第２の周波数は、例えば、ＵＥ１２がＤ２Ｄ通信のために使用することを意図し又はそれが予期される周波数である。その判定は、例えば次のようないくつかの要因のいずれかに基づいてなされ得る：
・ＵＥのタイミング精度
・ＵＥ１２の速度
・Ｔ１を予め定義され又は予め構成される閾値として、直近のＴ１秒においてセル１６上でＵＥ１２が何らかの測定を行ったか
・例えばロケーションサーバなど、他のネットワークノードから受信される情報
・ＵＥ１２の無線リソース制御（ＲＲＣ）状態
・履歴情報を含むＵＥ１２のアクティビティ、及び／又は、
・ＵＥ１２からの推奨（recommendation）又はリクエスト
・非サービングセル（セル２）に関して判定されたＵＥ１２の同期ステータスに基づいて、ＵＥをＤ２Ｄ動作のために第１のギャップ構成及び第２のギャップ構成のうちの１つと共に構成すべきかを判定（ステップ１０２）。ＵＥ１２が非サービングセル（セル２）へ同期している場合には第１のギャップ構成が使用され、ＵＥ１２が非サービングセル（セル２）へ同期していない場合には第２のギャップ構成が使用される。例えば、第１のギャップ構成は、ＵＥ１２が実際に非サービングキャリア上で送信／受信を行うサブフレーム、及び非サービングキャリアに対して送信／受信（ＴＸ／ＲＸ）チェーンをチューニング／再チューニングするために必要とされるサブフレームのみを含み得る。第２のギャップ構成は、代わりに、非サービングキャリアからの同期を獲得する（又は、システム情報（ＳＩ）／ページングを読み取り、リファレンス信号受信電力（ＲＳＲＰ）を推定する）ために必要とされるいくつかのオーバヘッドのサブフレームを、第１のギャップ構成に追加し得る。言い換えると、ネットワークノードは、ＵＥが非サービングセル（セル２）へ同期しているかに基づいて、ＵＥ１２を第１の測定ギャップ構成を適用するように構成すべきか又は第２の測定ギャップ構成を適用するように構成すべきかを判定する。第１の測定ギャップ構成及び第２の測定ギャップ構成は、異なる測定ギャップ構成である。
・第１のギャップ構成を適用すべきか又は第２のギャップ構成を適用すべきかに関する情報をＵＥ１２へ送信（ステップＳ１０４）。それにより、第１の又は第２のギャップ構成の少なくとも一部の期間中にＵＥ１２が少なくともＤ２Ｄ動作を実行することが可能とされる。言い換えると、ネットワークノードは、ステップ１０２においてネットワークノードにより判定される通りに、ＵＥ１２を第１の測定ギャップ構成又は第２の測定ギャップ構成を適用するように構成する情報をＵＥ１２へ送信する。
・構成されるギャップの少なくとも一部の期間中のＵＥ１２への信号のスケジューリングを適応（ステップ１０６）。例えば、ネットワークノードは、ＵＥ１２のサービングセルのうちどのサービングセル上でもＵＥ１２をスケジューリングしないかもしれない。
【００６３】
図３Ｂは、図３Ａの内容に類似する、ＰｒｏＳｅ対応型ＵＥ１２へサービスするネットワークノード（例えば、無線アクセスノード又はｅＮＢ１４）における方法を示している。その方法は、次のことを含む：
・ＵＥが非サービングキャリア（Ｆ２）上の第２のセル（セル２）へ同期しているかを判定（ステップ２００）。第２のセル（セル２）をここでは非サービングセル（セル２）ともいう。言い換えると、ネットワークノードは、第１の周波数（Ｆ１）上で動作するサービングセル１６と共に構成されるＵＥ１２が非サービング周波数又は第２の周波数（Ｆ２）上で動作する非サービングセル又は第２のセル（セル２）へ同期しているかを判定する。第２の周波数は、例えば、ＵＥ１２がＤ２Ｄ通信のために使用することを意図し又はそれが予期される周波数である。その判定は、例えば次のようないくつかの要因のいずれかに基づいてなされ得る：
・ＵＥのタイミング精度
・ＵＥ１２の速度
・Ｔ１を予め定義され又は予め構成される閾値として、直近のＴ１秒においてセル１６上でＵＥ１２が何らかの測定を行ったか
・例えばロケーションサーバなど、他のネットワークノードから受信される情報
・ＵＥ１２のＲＲＣ状態
・履歴情報を含むＵＥ１２のアクティビティ、及び／又は、
・ＵＥ１２からの推奨又はリクエスト
・ＵＥ１２が非サービングキャリア（Ｆ２）上の非サービングセル（セル２）からのシステム情報を必要とするかを判定（ステップ２０２）。この判定は、いくつかの要因のいずれかに基づいてなされ得る。例えば、いくつかの実施形態において、ネットワークノードは、ターゲットセルのシステム情報の周期性／ページングサイクルに依存してＵＥ１２がシステム情報メッセージをいつ読み取らなければならないかを判定し、又は、ターゲットセルにおいて何らかのシステム情報の変化が生じたかを判定する。それにより、ＵＥがターゲットセルにおいて１つ以上のシステム情報ブロック（ＳＩＢ）を取得することが強制されることになる。
・非サービングセル（セル２）に関して判定されたＵＥ１２の同期ステータス及びＵＥ１２が非サービングセル（セル２）からのシステム情報を必要とするかに基づいて、ＵＥをＤ２Ｄ動作のために第１のギャップ構成及び第２のギャップ構成のうちの１つと共に構成すべきかを判定（ステップ２０４）。ＵＥ１２が非サービングセル（セル２）へ同期している場合には第１のギャップ構成が使用され、ＵＥ１２が非サービングセル（セル２）へ同期しておらず及び／又はＵＥ１２が非サービングセル（セル２）からのシステム情報を取得することを必要とする場合には第２のギャップ構成が使用される。例えば、第１のギャップ構成は、ＵＥ１２が実際に非サービングキャリア上で送信／受信を行うサブフレーム、及び非サービングキャリアに対して送信／受信（ＴＸ／ＲＸ）チェーンをチューニング／再チューニングするために必要とされるサブフレームのみを含み得る。第２のギャップ構成は、代わりに、非サービングキャリアから同期を獲得し及び／又はシステム情報を読み取るために必要とされるいくつかのオーバヘッドのサブフレームを、第１のギャップ構成に追加し得る。第２のギャップ構成は、追加的に又は代替的に、ページング又は推定（例えば、ＲＳＲＰ）などのために必要とされるいくつかのオーバヘッドのサブフレームを追加してもよい。言い換えると、ネットワークノードは、ＵＥが非サービングセル又は第２のセル（セル２）へ同期しているか、及びＵＥ１２が非サービングセル又は第２のセル（セル２）からのシステム情報を必要とするかに基づいて、ＵＥ１２を第１の測定ギャップ構成を適用するように構成すべきか又は第２の測定ギャップ構成を適用するように構成すべきかを判定する。第１の測定ギャップ構成及び第２の測定ギャップ構成は、異なる測定ギャップ構成である。
・第１のギャップ構成を適用すべきか又は第２のギャップ構成を適用すべきかに関する情報をＵＥ１２へ送信（ステップＳ２０６）。それにより、第１の又は第２のギャップ構成の少なくとも一部の期間中にＵＥ１２が少なくともＤ２Ｄ動作を実行することが可能とされる。言い換えると、ネットワークノードは、ステップ２０４においてネットワークノードにより判定される通りに、ＵＥ１２を第１の測定ギャップ構成又は第２の測定ギャップ構成を適用するように構成する情報をＵＥ１２へ送信する。
・構成されるギャップの少なくとも一部の期間中のＵＥ１２への信号のスケジューリングを適応（ステップ２０８）。例えば、ネットワークノードは、ＵＥ１２のサービングセルのうちどのサービングセル上でもＵＥ１２をスケジューリングしないかもしれない。
【００６４】
いくつかの実施形態において、非サービングキャリア上でのＰｒｏＳｅ動作のためのギャップ構成を判定し、適応させ及び通信するための、ネットワークノード（例えば、無線アクセスノード１４）における方法が、提供される。図３及び図３Ｂが例示的な実施形態を示している一方で、ネットワークノードにおける方法を次のように説明することもできる。ネットワークノードは、非サービングキャリア（Ｆ２）上の非サービングセル（セル２）上での動作のためにＵＥ１２の同期状態を判定する。その判定に依存して、ネットワークノードは、次のアクションのうちの１つを行い得る：
・ＵＥ１２は、ターゲット非サービングセルへ既に同期している：（例えば、図５、ケースＡを参照）
・ネットワークノードは、ＰｒｏＳｅギャップ（デルタＴ３）の期間中にＰｒｏＳｅ動作についてリクエストされたギャップに対し何らの固有のアクションも行わない。
・ＵＥ１２は、ターゲット非サービングセルへ同期していない：（例えば、図５、ケースＢを参照）
・ネットワークノードは、ＰｒｏＳｅ  ＵＥ１２を拡張されたギャップと共に構成する。ＰｒｏＳｅギャップ（デルタＴ３）は、デルタＴ１だけ拡張され、合計ギャップ長はデルタＴＸとなり得る。なお、ここで使用されるところによれば、拡張ギャップ又は拡張測定ギャップは、測定ギャップの拡張分（ここではデルタＴ１という）にＤ２Ｄ動作のための測定ギャップ長（ここではデルタＴ３という）を加えた和に等しい時間長又は長さを有する測定ギャップである。ここで説明したように、測定ギャップの拡張分は、拡張される測定ギャップの残りでＤ２Ｄ動作を実行することに先立って、非サービングセルへ同期し、並びにオプションとしてシステム情報を取得し及び／又はページングを行うための時間長である。
・ネットワークノードは、適応済みのギャップ構成に従って自身のスケジューリングを適応させる。
また、ネットワークノードは、ＵＥ１２及びネットワーク内の他のノードへ適応済みのギャップ構成を通信してもよい。
【００６５】
上記方法は、次のようにさらに特徴付けられてもよい。言い換えると、図３Ａ及び図３Ｂのステップ群、並びに、同様にネットワークノードにおいて実行される上述したステップ群は、次のようにより詳細に説明され得る。それら詳細は、対応するステップの例示的な実施形態を示す。
【００６６】
＜１．１  同期状態の判定＞
ある実施形態において、ネットワークノード（例えば、無線アクセスノード又はｅＮＢ１４）は、例えば図３Ａのステップ１００において又は図３Ｂのステップ２００において、ターゲットセル（即ち、非サービングセル（セル２））の同期状態、及び恐らくはＵＥ１２がターゲットセルにおいてシステム情報を取得する必要があるか、に関する判定を行う。その判定に基づいて、ネットワークノードは、例えば図３Ａのステップ１０２において又は図３Ｂのステップ２０４において、ギャップ構成を導出し及び／又は既存のギャップ構成を適応させる。次いで、ネットワークノードは、例えば図３Ａのステップ１０４において又は図３Ｂのステップ２０６において、ギャップに関連する構成と共にＰｒｏＳｅ  ＵＥ１２を構成する。また、ネットワークノードは、ネットワーク内の他のノードへ、導出した構成を通信してもよい。ＵＥの同期状態の判定は、後にさらに説明される１つ又は複数の基準に基づいて行われる。
【００６７】
最初のステップとして、ネットワークノードは、非サービングキャリア上のターゲットセル（例えば、セル２）に対するＵＥ１２の同期状態を判定する。このターゲットセルを、ここでは非サービングセル（セル２）ともいう。ターゲットセル又は非サービングセルとしても知られるセル２は、このケースでは、ＵＥ１２がＰｒｏＳｅ動作を行うことを意図し、それが予期され又はそれを要するセルである。同期状態は、ＵＥ１２がセル２のタイミングを知得しているか、セル２との間で無線信号を受信／送信することができるかを指し示す。ネットワークノードは、ＵＥ１２の同期状態を判定するための１つ又は複数の基準を使用してよく、これが以下により詳細に説明される。
・ターゲットセルでのＵＥのタイミング精度。例えば、ネットワークノードは、セル２でＵＥ１２により実行された測定の何らの測定結果も直近の少なくともＸ１秒内にＵＥ１２から受信しない場合に、ＵＥ１２はセル２へ同期していないと想定してよく、例えばＸ１＝５秒である。
・ターゲットセルの位置に対する、ＵＥ１２の速度及び位置。例えば、ネットワークノードは、Ｙ１秒（例えば、Ｙ１＝２秒）ごとに、ＵＥの速度が閾値（例えば、時速５０キロメートル（ｋｍ／ｈｒ））を上回っている場合において、ＵＥ１２がセル２でその期間中に何らの測定も行っていないときに、ＵＥ１２がセル２への同期を失うものと想定してもよい。
・例えばＵＥ１２がターゲットセルで過去に何らかの測定レポートを送信したかといった、ＵＥのアクティビティに関する履歴データ：
・ＵＥ１２は、直近のＴ１秒（例えば、Ｔ１は５秒、５×ＤＲＸサイクル長などであり得る）内にネットワークノードへそのセルについて有効な測定レポート（例えば、ＲＳＲＰ）を送信した。ＰｒｏＳｅ  ＵＥ１２は、周期的に、イベントトリガ型で、又はイベントトリガ型で及び周期的に、ネットワークノードへ１つ以上の測定結果（例えば、ＲＳＲＰ）をレポートするように構成されることができる。測定レポートは、例えば測定ピリオド＝８００ｍｓ、測定精度が±２デシベル（ｄＢ）の範囲内のように、１つ以上の要件が満たされる場合に、“有効な測定レポート”であると見なされる。
・ＵＥ１２がアイドル状態で動作しているか又は接続済み状態で動作しているか。
・ＲＲＣ状態。例えば、アイドル状態では、ＵＥ１２は、接続済み状態よりも早くセル２に対する同期を失うものと想定され得る。ネットワークノードは、ＵＥ１２のＲＲＣ状態を認識している。これは、アイドル状態において、ＵＥ１２が電力及び処理リソースを節約するためにあまり正確でないクロックを使用し得るからである。
・ＵＥ１２が不連続受信（ＤＲＸ）の最中であるか否か。例えば、ＤＲＸ中で構成されているＵＥ１２は、非ＤＲＸ状態よりも早くセル１２に対する同期を失うものと想定され得る。ネットワークノードは、ＵＥ１２がＤＲＸ中であるか否かを認識している。
・直近のギャップ構成から経過した時間。ネットワークノードは、Ｚ１秒（例えば、Ｚ１＝３秒）より前にセル２でのＤ２Ｄ動作のために直近のギャップが構成された場合、ＵＥ１２がセル２へ同期する必要があると想定してもよい。
・直近の拡張ギャップ構成から経過した時間。ネットワークノードは、Ｚ２秒（例えば、Ｚ２＝５秒）より前にセル２でのＤ２Ｄ動作のために直近の拡張ギャップが構成された場合、ＵＥ１２がセル２へ同期する必要があると想定してもよい。
・ネットワーク内の他のノードから受信される情報。
・ＵＥ１２から受信される、セル２に対するＵＥ１２の同期ステータスの暗黙的な又は明示的な標識。
【００６８】
同期状態の他に、ＵＥ１２は、非サービングキャリアによりブロードキャストされるシステム情報メッセージ又はページングを周期的に読み取ってターゲットセル関連の情報を取得し、ターゲットセル内で動作するために要する送信／受信パラメータを学習することをも必要とし得る。ネットワークノードは、ターゲットセルのシステム情報の周期性／ページングサイクルに依存してＵＥ１２がシステム情報メッセージをいつ読み取らなければならないかを判定し、又は、ターゲットセルにおいて何らかのシステム情報の変化が生じたかを判定する。それにより、ＵＥ１２がターゲットセルにおいて１つ以上のＳＩＢを取得することが強制されることになる。
【００６９】
非サービングキャリアがＵＥ１２のその時点の接続先の又はその時点の滞在先のサービングｅＮＢ１４とは異なるターゲットｅＮＢ１４に属する場合、サービングｅＮＢ１４は、ターゲットｅＮＢ１４と情報を交換することにより、システム情報の周期性及び／又はページングサイクルと共に、システム情報の何らかの変化を学習することができる。代替的に、ＵＥ１２は、システム情報を取得するために異なる（即ち、より長い）ギャップ構成を有する必要があることを、ネットワークノードへ明示的に指し示す。
【００７０】
典型的には、ＵＥ１２は、多数のセルのモニタリング及びそれらの測定をも、それらセルが検出可能であることを条件として行い得る。ＵＥ１２によりモニタリングされるセルは、イントラ周波数セル、インター周波数セル、又はインターＲＡＴセルであってもよい。
【００７１】
ターゲットセルに対するＵＥ１２の同期状態、及び恐らくはＵＥ１２がターゲットセルのシステム情報を取得する必要があるかに関する上記判定に基づいて、ネットワークは、以下に説明するようなアクションを取り得る。
【００７２】
＜１．２  ＵＥが非サービングセル又はターゲットセル（セル２）へ同期していないことを同期状態が指し示す場合のネットワークノードのアクション＞
ＵＥ１２がターゲットセル（セル２）へ同期していないことがネットワークノードにより判定された場合、ネットワークノードは、ＰｒｏＳｅ動作期間の開始前に、少なくともデルタＴＸの拡張ギャップと共にＵＥ１２を構成し得る。この構成や、ここで互換可能に第２のギャップ構成として言及されてもよい。第２のギャップ構成において、ギャップの合計の又は全体としてのギャップ長（即ち、デルタＴＸの時間長を有する拡張後のギャップ）は、ギャップの拡張分の時間長（即ち、デルタＴＸ１）、及び第１のギャップ構成におけるギャップ（即ち、時間長デルタＴ３を有するＰｒｏＳｅギャップ）の時間長からなる。例えば、図５のケースＢを参照されたい。
【００７３】
このケースにおけるＰｒｏＳｅ動作の時間長は、ＰｒｏＳｅディスカバリ送信時間長、即ち、ＰｒｏＳｅのために使用されることが予期されるサブフレーム群を含み得る。ＰｒｏＳｅ動作時間長は、このケースではデルタＴ３として表され、ネットワークノードは、ＵＥ１２をＰｒｏＳｅを行うためのギャップと共に構成し得る。ＰｒｏＳｅ動作時間長デルタＴ３を、ここではＰｒｏＳｅギャップ時間長ともいう。
【００７４】
一例として、ギャップ拡張分（デルタＴ１）は、ＵＥ１２においてターゲットセルタイミングが既知でないという条件下で、８０ｍｓとして定義されてもよい。これが当てはまる場合、拡張ギャップ（デルタＴＸ）は、デルタＴＸ＝デルタＴ３＋８０ｍｓである。他の例において、ギャップ拡張分（デルタＴ１）は、ＵＥ１２においてターゲットセルタイミングが既知であって、但しＵＥ１２が依然として同期及び精細なチューニングのための時間を必要とするという条件下で、２０ｍｓとして定義されてもよい。ギャップを拡張する利点は、ＵＥ１２がギャップ拡張分（デルタＴ１）の期間中に測定を実行して、自身の受信機及び送信機をＰｒｏＳｅギャップ（デルタＴ３）の期間中にＰｒｏＳｅ動作をトリガできるように同期させることができることである。
【００７５】
ギャップ拡張分（デルタＴ１）は、予め定義されてもよく、又は可変的であってもよい。また、予め値が定義されるケースにおいて、ネットワークノードは、ギャップ構成と共に、ＵＥ１２が第１のギャップ構成（即ち、拡張分の無い通常のギャップ）を適用すべきか又は第２のギャップ構成（即ち、通常のギャップに加えて同期用のギャップ拡張分）を適用すべきかを指し示すインジケータを、ＵＥ１２へ送信してもよい。可変的な値のケースでは、ネットワークノードは、ギャップ拡張分の正確な長さ、第２のギャップの時間長（即ち、合計の又は拡張後の測定ギャップであるデルタＴＸ）、及び／又は第１のギャップの拡張分の時間長をＵＥ１２へ提供してもよい。
【００７６】
他の例示的な実装において、ネットワークノードは、例えば３秒に１回のように、周期的に又は散発的にＵＥ１２を拡張ギャップと共に構成してもよい。言い換えると、ネットワークノードは、例えば３秒に１回のように、周期的に又は散発的にＵＥ１２を第２のギャップ構成と共に構成してもよく、さもなければＵＥ１２は第１のギャップ構成と共に構成される。この実装は、ＵＥ１２のセル２に対する同期状態を十分な確度を伴って判定することができないケースにおいて特に有益である。
【００７７】
ギャップ拡張分デルタＴ１を含む拡張ギャップ時間長の間に、ネットワークノードは、自身のスケジューリングを適応させてもよく、例えば、ネットワークノードは、デルタＴ１の時間長の間、複数のサービングセルのうちのいずれのセル上でもＵＥ１２をスケジューリングしない。時間長デルタＴ１は、予め定義され、又はネットワークノードにより構成される。これは、ＵＥ１２が、ＰｒｏＳｅ動作のために非サービングキャリアの周波数上のアップリンクへチューニングしなければならないために、サービングセル上で中断を引き起こし得るからである。この時間の間に、ＵＥ１２は、非サービングキャリア上で送信及び／又は受信を行うことができるように、そのキャリア上で時間及び周波数において自身の受信機及び送信機を同期させ得る。
【００７８】
ＵＥ１２がターゲットセル内のシステム情報メッセージを取得することを必要とすることをネットワークノードが判定するケースに同じ仕組みが適用されてもよく、即ち、拡張ギャップ構成は、ＵＥ１２によるシステム情報の読み取りを計算に入れるように考慮される。ターゲットサービングキャリアにおいてＵＥ１２が読み取るべきシステム情報メッセージの数、又はＵＥ１２がいつページングを取得する必要があるか、に依存して、拡張ギャップ構成を相違させることができる。
【００７９】
このことの利点は、予測不能な中断が回避され、デルタＴ１のサブフレーム内にＵＥ１２をスケジューリングすることを回避するようにネットワークノードが自身のスケジューリングを適応させ得ることであり、なぜなら、ネットワークノードはそれらサブフレームにて再チューニングが行われるであろうことを知得するからである。これは、リソースがより良好に利用されること、及び、ＷＡＮ性能だけでなくＰｒｏＳｅ動作もまた改善されることを意味する。
【００８０】
ネットワークノードが同期状態を用いてセル２がＵＥ１２にて過去に知得済みであったことを見出し、又はＵＥ１２がセル２に関する何らかの測定レポートを報告した場合、ネットワークノードは、セル２が全く新しい場合よりも短くなるように拡張ギャップを構成してもよい。これは、セルがＵＥ１２にて既知である場合、その時点のタイミングがＵＥ１２において失われているとしても、そのセルのＰＣＩが既知であり得るためである。このことは、時間及び周波数に関連する同期パラメータのうちのいくつかが既知であり得ることを意味する。従って、そのケースではやや短い拡張ギャップで十分であり得る。言い換えると、ターゲットセルがＵＥ１２にとって過去に知られていた場合、拡張ギャップ（デルタＴＸ）又はギャップ拡張分（デルタＴ１）は、それら拡張ギャップ又はギャップ拡張分がターゲットセルがＵＥ１２にとって過去に知られていない場合よりも短くなるように構成され得る。この方法により、ＵＥ１２の同期状態の判定に基づいて当該ＵＥ１２が拡張ギャップを動的に構成することが可能となる。
【００８１】
上で言及したように、ネットワークノードは、非サービングキャリアにおいて実際の送信／受信が行われるものとされるサブフレームのみならず、ＵＥ１２が非サービングキャリアから同期、システム情報メッセージ及び／又はページングを獲得することが予期されるサブフレーム単位のオーバヘッドをも含むギャップを、ビットマップを用いて構成してもよい。ギャップ構成は暗黙的であることもでき、即ち、ネットワークは、ＵＥ１２がギャップを実行することを許容されないサブフレームをシグナリングするのみである。代替的に、サブフレーム単位でのオーバヘッド候補が仕様化され、ネットワークは、ＵＥ１２へ意図されるオーバヘッドを参照するインデックスをシグナリングする。
【００８２】
＜１．３  ＵＥが非サービングセル又はターゲットセル（セル２）へ既に同期していることを同期状態が指し示す場合のネットワークノードのアクション＞
ＵＥ１２がセル２へ既に同期しているとネットワークノードにより判定された場合、ネットワークノードは明示的なアクションを要しない。ＵＥ１２がターゲット非サービングキャリアにおいてシステム情報メッセージを読み取る必要が無い場合に同じ仕組みが当てはまる。
【００８３】
こうしたケースでは、ＵＥ１２は、オーバヘッドの追加的なサブフレームを伴わない第１のギャップ構成を適用する。
【００８４】
＜１．４  ＰｒｏＳｅ  ＵＥ（及び他のノード）へギャップ構成に関する情報をシグナリングする方法＞
この実施形態は、ギャップに関連する導出された構成を他のノードへ送信することに関連する。構成を受信する他のノードの例は、ＰｒｏＳｅ  ＵＥ、ＰｒｏＳｅリレーＵＥ、ｅＮＢ、基地局、ＡＰ、コアネットワークノード、測位ノード、又は、専用のサービスのために使用されるＳＯＮノードなどの任意の他のノードである。
【００８５】
他のノードとギャップ構成を共有する有意な利点が存在する。１つの利点は、同じ又は部分的な情報がネットワーク内の他のノードへ適用可能であるかもしれず、そのケースにおいて情報を再利用することができることである。この手法で、ネットワーク内のノードの間でギャップを協調させることができ、改善（例えば、ギャップ構成がぶつかり合うことを回避、非サービングキャリア上の測定性能）を大規模なスケールで高めることができる。
【００８６】
第２の利点は、非常に複雑なこともあり得るギャップ構成の導出を、１つの場所で１回のみ行うことが可能であり、それがネットワーク内の他のノードへシグナリングされることである。この手法で、ネットワーク内の様々なノードにおける処理を低減することができる。
【００８７】
＜２  ＵＥにおける方法＞
図４は、ネットワークノード（例えば、無線アクセスノード又はｅＮＢ１４）によりサービスされるＰｒｏＳｅ対応型ＵＥ１２における方法を示している。その方法は、次のことを含む：
・非サービングキャリア上の第２のセル（セル２）に対するＵＥ１２の同期を判定するための情報を取得（ステップ３００）。これは、ダウンリンク測定結果、パスロスデータ、速度などを含み得る。第２のセル（セル２）を、非サービングセル（セル２）ともいう。
・取得した情報に基づいて、非サービングセル（セル２）に対するＵＥ１２の同期ステータスを判定（ステップ３０２）。
・判定した同期ステータスに基づいて、Ｄ２Ｄ動作のために第１のギャップ構成及び第２のギャップ構成のうちの１つと共にＵＥ１２を構成するためのリクエストをネットワークノードへ送信（ステップ３０４）。第１のギャップはＵＥ１２が非サービングセル（セル１２）へ同期している場合に使用され、第２のギャップはＵＥ１２が非サービングセル（セル１２）へ同期していない場合に使用される。例えば、第１のギャップ構成は、ＵＥ１２が非サービングキャリアにおいて実際に送信／受信を行うサブフレーム、及び非サービングキャリアへ向けてＴＸ／ＲＸチェーンをチューニング／再チューニングするために必要とされるサブフレームのみを含み得る。第２のギャップ構成は、代わりに、非サービングキャリアから同期の獲得（又はＳＩ／ページングの読み取り、ＲＳＲＰの推定）のために必要とされるいくつかのオーバヘッドのサブフレームを、第１のギャップ構成に追加し得る。
・第１のギャップ構成を適用すべきか又は第２のギャップ構成を適用すべきかの情報をネットワークノードから受信（ステップ３０６）。
・ネットワークノードからの受信情報に基づいて、ギャップ構成を適応させ又は構成（ステップ３０８）。例えば、ＵＥ１２は、自身の最新のギャップ構成をステップ３０６においてネットワークノードから受信した情報により指し示されるギャップ構成へ適応させ、さもなければ、ステップ３０６においてネットワークノードから受信した情報により指し示されるギャップ構成を適用するように自身を構成する。一方で、いくつかの実施形態において、ＵＥ１２は、ステップ３０６においてネットワークノードから受信した情報により指し示されるギャップ構成をさらに適応させ、適応後のギャップ構成を適用するように自身を構成してもよい。例えば、ネットワークノードが（通常のＰｒｏＳｅギャップ時間長及びギャップ拡張分の和に等しいギャップ時間長を有する）第２のギャップ構成と共にＵＥ１２を構成した後、ＵＥ１２は、非サービングセルが過去にＵＥ１２に知られていたことがＵＥ１２に分かる場合に、ギャップ拡張分を短縮することによりそのギャップ構成を適応させてもよい。ＵＥ１２は、ギャップ構成を適応させた場合、いくつかの実施形態において、適応後のギャップ構成をネットワークノードへ通知する。
・適応後の又は構成されたギャップの少なくとも一部の期間中に、少なくともＤ２Ｄ動作を実行（ステップ３１０）。より具体的には、ＵＥ１２が第１のギャップ構成を適用するように構成される場合、ＵＥ１２は、非サービングセル（セル２）へ既に同期しており、そのため、ＵＥ１２は、構成されたギャップの期間中にＤ２Ｄ動作を実行する。一方、ＵＥ１２が第２のギャップ構成を適用するように構成される場合、ＵＥ１２は、サービングセル（セル２）へ未だ同期しておらず、そのため、ＵＥ１２は、非サービングセル（セル２）へ同期し、次いで、構成されたギャップ内でＤ２Ｄ動作を実行する。
【００８８】
非サービング周波数上の非サービングセルに対するＵＥ１２の同期状態を判定し及びその非サービングキャリア上のＰｒｏＳｅ動作のためにＵＥ１２のギャップ構成を適応させるためのＵＥ１２における方法の実施形態が開示されている。ＵＥ１２における方法の実施形態は図４を基準として例示され及び説明されているものの、ＵＥ１２における全体的な手続は次の通りであり得る。
・ＰｒｏＳｅ  ＵＥ１２は、非サービングキャリア上の非サービングセルに対する同期に関連する情報を取得する。
・ＰｒｏＳｅ  ＵＥは、非サービングキャリア（Ｆ２）上のターゲット非サービングセル（セル２）へ同期しているかを判定する。
・上記判定に依存して、ＰｒｏＳｅ  ＵＥ１２は、次のアクションのうちの１つを行い得る：
・ＵＥ１２は、ターゲットセルへ同期していない：ＵＥ１２は、ＰｒｏＳｅ動作のためにリクエストされるギャップ（デルタＴ３）を拡張することにより自身のギャップ構成を適応させて、ＵＥ１２が同期を実行するためのいくらかの時間の猶予を与える。ギャップは、時間長デルタＴ１だけ拡張されてもよく、結果的に、デルタＴＸという合計ギャップ長になる。ギャップが何らかのビットマップパターンを用いてリクエストされる場合、ＵＥ１２は、そのビットマップパターンを拡張することにより適応させて、ＰｒｏＳｅサブフレームに先立って同期のためのいくらかの時間の猶予を与えてもよい。
・ＵＥ１２は、ターゲットセルへ同期している：ＰｒｏＳｅ  ＵＥ１２により明示的なアクションを要しない。
・ＰｒｏＳｅ  ＵＥ１２は、適応ギャップリクエストをネットワークノードへシグナリングする。
・ＰｒｏＳｅ  ＵＥ１２は、ネットワークノードからギャップ構成に関する情報を受信する。
・ＰｒｏＳｅ  ＵＥ１２は、ギャップに関する受信した情報に基づいて、ギャップを構成する。
・ＰｒｏＳｅ  ＵＥ１２は、構成されたギャップの期間中に、セル２へ同期し及び／又はＤ２Ｄ動作を実行する。
【００８９】
ＵＥ１２は、システム情報メッセージを取得する必要があるか否かにも基づいて、拡張ギャップを必要とするかを判定する。いつシステム情報メッセージを読み取るべきかは、ＵＥ実装に委ねられてもよく、又は、例えばシステム情報の変化の通知時、非サービングキャリアの検出時など、標準化されたルールに従ってもよい。
【００９０】
追加的に、ＵＥ１２は、非サービングキャリアでの動作を行う前に非サービングキャリアからのＲＳＲＰをある数のサブフレームにわたって周期的に推定することを必要とし得る。例えば、ＰｒｏＳｅにおいて、ＵＥ１２は、ＰｒｏＳｅ動作を行うための送信／受信リソースを選択する前に、非サービングキャリア内の様々なリソースプールのＲＳＲＰを推定することを必要とし得るはずである。
【００９１】
以下のセクションにおいて、説明した実施形態のある複数の観点がより詳細に説明される。
【００９２】
＜２．１  同期状態の判定＞
この実施形態は、測定ギャップに関連する情報を取得し、判定し及び構成するための、ＰｒｏＳｅ  ＵＥ１２における方法を開示する。判定されるギャップ構成は、次いで、ＰｒｏＳｅ  ＵＥ１２により、Ｆ２としても知られる非サービングキャリア周波数上のセル２としても知られるターゲットセル上で、測定を実行するために使用される。
【００９３】
第１のステップ（例えば、図４のステップ３００）において、ＰｒｏＳｅ  ＵＥ１２は、ＵＥ１２がＰｒｏＳｅ動作を行うことを意図し、それが予期され又はそれを要する非サービングキャリア周波数上のセル２に関する同期状態関連の情報を取得する。同期状態は、ＵＥ１２がセル２のタイミングを知得しているか、及びセル２との間で無線信号を送受信することができるかを指し示す。ＵＥ１２は、例えば図４のステップ３０２において、いくつかの基準を用いてＵＥ１２の同期状態を判定してよく、それら基準の例は次の通りである：
・例えばＵＥ１２がセル２のタイミングを維持しているかを左右する、ターゲットセルでのＵＥ１２のタイミング精度。例えば、これは、ＵＥ１２が直近のＸ２秒内にセル２に関する何らかの測定を行ったか否かに基づくことができる。
・ターゲットセルの位置に対するＵＥの速度及び位置。例えば、ＵＥ１２は、Ｙ２秒（例えば、Ｙ２＝２秒）ごとに、ＵＥ１２の速度が閾値（例えば、５０ｋｍ／ｈｒ）を上回っている場合において、ＵＥ１２がセル２でその期間中に何らの測定も行っていないときに、ＵＥ１２がセル２への同期を失うものと想定してもよい。
・例えばＵＥ１２がターゲットセルで過去に何らかの測定レポートを送信したかといった、ＵＥのアクティビティに関する履歴データ：
・ＵＥ１２は、直近のＴ１秒（例えば、Ｔ１は５秒、５×ＤＲＸサイクル長などであり得る）内にネットワークノードへそのセルについて有効な測定レポート（例えば、ＲＳＲＰ）を送信した。ＰｒｏＳｅ  ＵＥ１２は、周期的に、イベントトリガ型で、又はイベントトリガ型で及び周期的に、ネットワークノードへ１つ以上の測定結果（例えば、ＲＳＲＰ）をレポートするように構成されることができる。測定レポートは、例えば測定ピリオド＝８００ｍｓ、測定精度が±２ｄＢの範囲内のように、１つ以上の要件が満たされる場合に、“有効な測定レポート”であると見なされる。
・ＵＥ１２がアイドル状態で動作しているか又は接続済み状態で動作しているか。
・ＲＲＣ状態。例えば、アイドル状態では、ＵＥ１２は、接続済み状態よりも早くセル２に対する同期を失うものと想定され得る。これは、アイドル状態において、ＵＥ１２が電力及び処理リソースを節約するためにあまり正確でないクロックを使用し得るからである。
・ＵＥ１２がＤＲＸの最中であるか否か。例えば、ＤＲＸ中で構成されているＵＥ１２は、非ＤＲＸ状態よりも早くセル１２に対する同期を失うものと想定され得る。ネットワークノードは、ＵＥ１２がＤＲＸ中であるか否かを認識している。
・直近のギャップ構成から経過した時間。ＵＥ１２は、Ｚ１´秒（例えば、Ｚ１´＝３秒）より前にセル２でのＤ２Ｄ動作のために直近のギャップが構成された場合、ＵＥ１２がセル２へ同期する必要があると想定してもよい。
・直近の拡張ギャップ構成から経過した時間。ＵＥ１２は、Ｚ２´秒（例えば、Ｚ２´＝５秒）より前にセル２でのＤ２Ｄ動作のために直近の拡張ギャップが構成された場合、ＵＥ１２がセル２へ同期する必要があると想定してもよい。
・ネットワーク内の他のノードから受信される情報。
典型的には、ＵＥ１２は、多数のセルのモニタリング及びそれらの測定をも、それらセルが検出可能であることを条件として行い得る。ＵＥ１２によりモニタリングされるセルは、イントラ周波数セル、インター周波数セル、又はインターＲＡＴセルであってもよい。
【００９４】
セル２に対するＵＥ１２の同期状態を判定した後、及び恐らくはシステム情報の読み取りが必要か否かを判定した後、ＵＥ１２は、ＵＥ１２により必要とされるギャップのタイプを暗黙的に又は明示的に指し示す情報を、例えば図４のステップ３０４において、ネットワークノードへ送信し得る。
【００９５】
ターゲットセル（即ち、セル２）に対するＵＥ１２の同期状態に関連する受信される情報に基づいて、ネットワークは、例えば図４のステップ３０６において、後述するように、ＵＥ１２を適切なタイプのギャップと共に構成し得る。
【００９６】
＜２．２  ＵＥが非サービングセル又はターゲットセル（セル２）へ同期していないことを同期状態が指し示す場合のＵＥのアクション＞
ＵＥ１２がターゲットセル（セル２）へ同期していないことがＵＥ１２により判定された場合、ＵＥ１２は、ネットワークノードへ、例えば図４のステップ３０４において、次の情報の集合のうちの１つ以上をシグナリングし得る：
・ＵＥ１２がセル２上でのＤ２Ｄ動作のためにセル２へ同期していないという標識；
・ＵＥ１２がセル２上でＤ２Ｄ動作を行う前にセル２へ同期するために拡張ギャップを必要とするという標識；
・セル２へ同期してセル２上でＤ２Ｄ動作を開始するためにＵＥ１２により要する拡張されたギャップの時間長又は長さ。
【００９７】
ネットワークノードでの上記リクエストの受信への応答として、ネットワークノードは、例えば図４のステップ３０６においてＵＥ１２により受信される情報を送信することにより、ＵＥ１２を第２のギャップ構成と共に構成し得る。よって、図４のステップ３０６においてＵＥ１２により受信される情報は、ＵＥ１２により適用されるべきギャップ構成の標識を含む。ＵＥ１２は、第２のギャップ構成を受信すると、ＰｒｏＳｅ動作の開始前に少なくともデルタＴＸの拡張ギャップがＵＥにより適用されるように、自身のギャップ構成を適応させ得る。この構成は、ここでは互換可能に第２のギャップ構成と呼ばれ得る。このケースでのＰｒｏＳｅ動作の時間長は、ＰｒｏＳｅディスカバリ送信時間長、即ちＰｒｏＳｅのために使用されるものと予期されるサブフレーム群を含み得る。ＰｒｏＳｅ動作時間長は、このケースではデルタＴ３と表記され、ネットワークノードがそのギャップをシグナリングしてもよく、又はＵＥ１２がＰｒｏＳｅを行うためのギャップをリクエストしてもよい。
【００９８】
一例として、ギャップ拡張分（デルタＴ１）は、ＵＥ１２においてターゲットセルタイミングが既知でないという条件下で、８０ｍｓとして定義されてもよい。これが当てはまる場合、第２のギャップ構成により構成される拡張測定ギャップ（デルタＴＸ）は、デルタＴＸ＝デルタＴ３＋８０である。他の例において、ギャップ拡張分（デルタＴ１）は、ＵＥ１２においてターゲットセルタイミングが既知であって、但しＵＥ１２が依然として同期及び精細なチューニングのための時間を必要とするという条件下で、２０ｍｓとして定義されてもよい。ギャップを拡張する利点は、ＵＥ１２がギャップ拡張分（デルタＴ１）の期間中に測定を実行して、自身の受信機及び送信機をデルタＴ３の期間中のＰｒｏＳｅ動作をトリガできるように同期させることができることである。
【００９９】
デルタＴ１を含む第２のギャップ時間長の間、ＵＥ１２は、ギャップ拡張分のデルタＴ１の時間長の期間中にサービング中の／アクティブ化済みのどのセル上でもそのサービングネットワークノードによりスケジューリングされないことを期待してよい。これは、ＵＥ１２が、ＰｒｏＳｅ動作のために非サービングキャリアの周波数上のアップリンクへチューニングしなければならないために、サービングセル上で中断を引き起こし得るからである。この時間の間に、ＵＥ１２は、非サービングキャリア上で送信及び／又は受信を行うことができるように、そのキャリア上で時間及び周波数において自身の受信機及び送信機を同期させ得る。例えば、第２のギャップ（即ち、第２のギャップ構成により構成されるギャップ）のギャップ拡張分の時間の間、ＵＥ１２は、まず（例えば、ＰＳＳ／ＳＳＳ、ディスカバリリファレンス信号（ＤＲＳ）又は共通リファレンス信号（ＣＲＳ）などといったリファレンス信号を受信することにより）セル２のダウンリンクタイミングを取得し、それを用いて、セル２上のサイドリンクリソースでのＤ２Ｄ信号の送信のためのセル２上のアップリンク送信タイミングを導出する。ギャップ拡張分の時間長の後、ＵＥ１２は、ギャップの残りの期間中にＤ２Ｄ動作を実行する。
【０１００】
上記アプローチの潜在的な利点は、予測不能な中断が回避され、ネットワークノードが一旦拡張ギャップを認識すればデルタＴ１のサブフレーム内にＵＥ１２をスケジューリングすることを回避するように自身のスケジューリングを適応させ得ることであり、なぜなら、ネットワークノードはＵＥ１２がそこで再チューニングを行うであろうことを知得するからである。これは、リソースがより良好に利用されること、並びに、ＷＡＮ性能及びＰｒｏＳｅ動作の双方が改善されることを意味する。
【０１０１】
セル２がＵＥ１２にて過去に知得済みであったことを同期状態を用いてＵＥ１２が見出し、又はＵＥ１２がセル２に関する何らかの測定レポートを報告済みである場合、ＵＥ１２は、セル２が全く新しい場合よりも短くなるように自身の拡張ギャップ構成を適応させてもよい。これは、セルがＵＥ１２にて既知である場合、その時点のタイミングがＵＥ１２において失われているとしても、そのセルのＰＣＩが既知であり得るためである。このことは、時間及び周波数に関連する同期パラメータのうちのいくつかが既知であり得ることを意味する。従って、そのケースではやや短い拡張ギャップで十分であり得る。この方法により、ＵＥ１２の同期状態の判定に基づいて当該ＵＥ１２が拡張ギャップを動的に構成することが可能となる。例えば、いくつかの実施形態において、ＵＥ１２は、自身の測定ギャップを短縮し（例えば、そのギャップ拡張分を短縮し）及びネットワークノードへ通知してもよい。
【０１０２】
上で言及したように、所望のギャップ構成は、ビットマップの形式でネットワークへレポートされてもよい。そうしたビットマップは、ＵＥ１２が非サービングキャリア動作を行うことを意図する実際のサブフレーム、並びに、目標のキャリアへ向けてＵＥ１２がＴＸ／ＲＸチェーンをチューニング／再チューニングするために必要とされるサブフレームと、同期及び恐らくはＳＩメッセージを獲得するために必要なサブフレームとを含み得る。
【０１０３】
代替的に、ＵＥ１２は、非サービングキャリアにおいて同期、ＳＩメッセージ若しくはページングを取得し又はＲＳＲＰを推定するために必要とされるサブフレーム単位の実際のオーバヘッドをレポートする。サブフレーム単位でのオーバヘッド候補が仕様化されてもよく、そしてＵＥ１２が意図される／リクエストされるオーバヘッドを参照するインデックスをレポートする。
【０１０４】
＜２．３  ＵＥが非サービングセル又はターゲットセル（セル２）へ既に同期していることを同期状態が指し示す場合のＵＥのアクション＞
ＵＥ１２がセル２へ既に同期しているとＵＥ１２により判定された場合、又はシステム情報、ページング、若しくは非サービングキャリアを評価（例えば、ＲＳＲＰ推定）すべき他のサブフレームが必要とされない場合、ＵＥ１２は、第１のギャップ構成、即ち同期用の拡張ギャップの無いギャップのみを構成するようにネットワークノードへリクエストし得る。このリクエストは、例えば図４のステップ３０４において提供される。例えば、ＵＥ１２により送信されるリクエスト又は標識は、次を含み得る：
・ＵＥ１２がセル２上でのＤ２Ｄ動作のためにセル２へ同期しているという標識；
・ＵＥ１２がセル２上でのＤ２Ｄ動作のために第１のギャップ構成を必要とするという標識。
【０１０５】
ネットワークノードでの上記リクエストの受信への応答として、ネットワークノードは、例えば図４のステップ３０６においてＵＥ１２により受信される対応する情報を提供することにより、第１のギャップ構成と共にＵＥ１２を構成し得る。
【０１０６】
ＵＥ１２は、例えば図４のそれぞれステップ３０８及び３１０において、第１のギャップ構成に従ってギャップを生成し及びそれらをセル２上でのＤ２Ｄ動作のために使用する。
【０１０７】
＜２．４  ネットワークノード（及び他のノード）へギャップ構成に関する情報をシグナリングする方法＞
この実施形態は、ギャップに関連する導出された構成を他のノードへ送信することに関連する。構成を受信する他のノードの例は、他のＰｒｏＳｅ  ＵＥ、ＰｒｏＳｅリレーＵＥ、ｅＮＢ、基地局、ＡＰ、コアネットワークノード、測位ノード、又は、専用のサービスのために使用されるＳＯＮノードなどの任意の他のノードである。
【０１０８】
他のノードとギャップ構成を共有する有意な利点が存在する。１つの利点は、同じ又は部分的な情報がネットワーク内の他のＰｒｏｓｅ  ＵＥ及び／又はノードへ適用可能であるかもしれず、そのケースにおいて情報を再利用することができることである。この手法で、ネットワーク内のＵＥ間及びノード間でギャップを協調させることができ、改善（例えば、ギャップ構成がぶつかり合うことを回避、非サービングキャリア上の測定性能）を大規模なスケールで高めることができる。
【０１０９】
第２の利点は、非常に複雑なこともあり得るギャップ構成の導出を、１つの場所で１回のみ行うことが可能であり、それがネットワーク内の他のＵＥ及びノードへシグナリングされることである。この手法で、ネットワーク内の様々なＵＥ及びノードにおける処理を低減することができる。
【０１１０】
＜３  例示的な実施形態の概略＞
上で示したように、開示した主題のある実施形態は、ネットワークノード及び／又はＰｒｏＳｅ  ＵＥに関連する。
【０１１１】
ネットワークノードでのある実施形態は、次を含む。
・ネットワークノードは、ＵＥ１２が非サービングキャリア上のターゲット非サービングセルへ同期しているかを判定する。ネットワークノードは、これを検証するために様々な基準を使用し得る：
・そうした基準の例：タイミング精度、ＵＥの速度、ＵＥ１２が過去にそのセルに関してレポートを行ったか、ＲＲＣ状態、ＵＥアクティビティ及び／又はそのセルに関する履歴データ、並びに、他のノードから受信される情報
・上記判定に依存して、ネットワークノードは、次のアクションのうちの１つを取り得る：
・ＵＥ１２がターゲット非サービングセルへ同期していない：
−ネットワークノードは、拡張ギャップと共にＵＥ１２を構成する。ＰｒｏＳｅギャップ（デルタＴ３）がデルタＴ１だけ拡張され、デルタＴＸの合計ギャップ時間長に帰結し得る。
・ＵＥ１２がターゲット非サービングセルへ同期している：
−ネットワークノードは、デルタＴ３の期間中のＰｒｏＳｅ動作のためにリクエストされるギャップに加えて、固有のアクションを何も行わない。
・ネットワークノードは、ギャップ構成に従って自身のスケジューリングを適応させる。
【０１１２】
また、上の仕組みは、ＵＥ１２が非サービングキャリアからのＳＩ、ページング及びＲＳＲＰ推定を取得するための追加的なオーバヘッドのサブフレームを必要とするかしないかに依存してＵＥ１２におけるギャップを構成するために適用されてもよい。そうした追加的なオーバヘッドの必要性は、ＵＥ１２により明示的にレポートされてもよく、又はネットワークノード間で交換されてもよい。
【０１１３】
ＵＥ１２でのある実施形態は、次を含む：
・ＰｒｏＳｅ  ＵＥ１２は、非サービングキャリア上の非サービングセルでの同期に関連する情報を取得する。
・ＰｒｏＳｅ  ＵＥ１２は、非サービングキャリア（Ｆ２）上のターゲット非サービングセル（セル２）へ同期しているかを判定する。
・上記判定に依存して、ＰｒｏＳｅ  ＵＥ１２は、次のアクションのうちの１つを取り得る：
・ＵＥ１２がターゲットセルへ同期していない：ＵＥ１２は、ＰｒｏＳｅ動作のためにリクエストされるギャップ（デルタＴ３）を拡張することにより自身のギャップ構成を適応させて、ＵＥ１２が同期を実行するためのいくらかの時間の猶予を与える。ギャップは、時間長デルタＴ１だけ拡張されてもよく、結果的に、デルタＴＸという合計ギャップ長になる。ギャップが何らかのビットマップパターンを用いてリクエストされる場合、ＵＥ１２は、そのビットマップパターンを拡張することにより適応させて、ＰｒｏＳｅサブフレームに先立って同期のためのいくらかの時間の猶予を与えてもよい。
・ＵＥ１２は、ターゲットセルへ同期している：ＰｒｏＳｅ  ＵＥ１２により明示的なアクションを要しない。
・適応後のギャップリクエストをネットワークノードへシグナリングする。
【０１１４】
また、上の仕組みは、ＵＥ１２が非サービングキャリアからＳＩ、ページング及びＲＳＲＰ推定を取得する必要があるケース又は無いケースで相違し得る、ネットワークノードへの所望のギャップ構成のレポートにＵＥ１２により適用されてもよい。
【０１１５】
＜４  ワイヤレスデバイス及びネットワークノードの例示的な実施形態＞
ワイヤレス通信デバイス１２は、任意の適したハードウェア及び／又はソフトウェアの組み合わせを含む通信デバイスを表現し得るものの、それらワイヤレス通信デバイスは、ある実施形態では、図６及び図７により一層詳しく示されている一例としてのワイヤレス通信デバイスのようなデバイスを表現する。同様に、図示された無線アクセスノード１４は、任意の適したハードウェア及び／又はソフトウェアの組み合わせを含むネットワークノードを表現し得るものの、それらノードは、具体的な実施形態において、図８〜図１０により一層詳しく示されている一例としての無線アクセスノード１４のようなデバイスを表現する。
【０１１６】
図６を参照すると、ワイヤレス通信デバイス１２（ここでは単にワイヤレスデバイス１２又はＵＥ１２ともいう）は、プロセッサ２０（例えば、ＣＰＵ（Central  Processing  Unit）、ＡＳＩＣ（Application  Specific  Integrated  Circuit）、及び／又はＦＰＧＡ（Field  Programmable  Gate  Array）など）、メモリ２２、送受信機２４及びアンテナ２６を備える。ある実施形態において、ＵＥ、ＭＴＣ若しくはＭ２Ｍデバイス及び／又は任意の他のタイプのワイヤレス通信デバイスにより提供されるものとして説明した機能性のいくつか又は全ては、デバイスプロセッサ２０が図６に示したメモリ２２といったコンピュータ読取可能な媒体上に記憶される命令を実行することにより提供されてもよい。代替的な実施形態は、図６に示したもの以外の、ここで説明した機能性のうちの任意のものを含むデバイスの機能性の何らかの観点を提供することに責任を有し得る追加的なコンポーネントを含んでよい。
【０１１７】
図７は、本開示のいくつかの他の実施形態に係るワイヤレス通信デバイス１２を示している。図示したように、ワイヤレス通信デバイス１２は、各々がソフトウェアで実装される１つ以上のモジュール２８を含む。モジュール２８は、ここで説明したようなワイヤレス通信デバイス１２の機能性を提供するように動作する。言い換えると、ある実施形態において、ＵＥ、ＭＴＣ若しくはＭ２Ｍデバイス及び／又は任意の他のタイプのワイヤレス通信デバイスにより提供されるものとして説明した機能性のいくつか又は全ては、モジュール２８により提供されてよい。一例として、いくつかの実施形態において、モジュール２８は、取得モジュール２８−１、判定モジュール２８−２及び送信モジュール２８−３を含む。取得モジュール２８−１は、第１の周波数上で動作するサービングセル１６と共に構成されるワイヤレ通信スデバイス１２が、Ｄ２Ｄ通信のために使用することを意図される非サービング周波数である第２の周波数上で動作する非サービングセル１６へ同期しているか、を判定するための第１の情報を取得する、ように動作可能である。判定モジュール２８−２は、ワイヤレス通信デバイス１２が第２の周波数上で動作する非サービングセル１６へ同期しているかを、第１の情報に基づいて判定する、ように動作可能である。送信モジュール２８−３は、ワイヤレス通信デバイス１２が第２の周波数上で動作する非サービングセル１６へ同期していないという判定に応じて、リクエストをネットワークノード１４へ送信する、ように動作可能である。上記リクエストは、ワイヤレス通信デバイス１２が第２の周波数上で動作する非サービングセル１６へ同期していないという標識、ワイヤレス通信デバイス１２がＤ２Ｄ動作を行う前に非サービングセル１６へ同期する目的で拡張測定ギャップを必要とするという標識、及び、Ｄ２Ｄ動作を実行する目的で非サービングセル１６へ同期するためにワイヤレス通信デバイス１２によりリクエストされる拡張されたギャップの時間長、のうちの少なくとも１つを含む。
【０１１８】
図８を参照すると、無線アクセスノード１４は、ノードプロセッサ３２、メモリ３４、及びネットワークインタフェース３６を含む制御システム３０を備える。加えて、無線アクセスノード１４は、送受信機３８及びアンテナ４０を含む。ある実施形態において、基地局、ノードB、ｅＮＢ及び／又は任意の他のタイプのネットワークノードにより提供されるものとして説明した機能性のいくつか又は全ては、ノードプロセッサ３２が図８に示したメモリ３４といったコンピュータ読取可能な媒体上に記憶される命令を実行することにより提供されてもよい。無線アクセスノード１４の代替的な実施形態は、ここで説明した機能性及び／又は関連する補助的な機能性といった追加的な機能性を提供するための追加的なコンポーネントを含んでよい。
【０１１９】
図９は、本開示のいくつかの実施形態に係る無線アクセスノード１４の仮想化された実施形態を示す概略ブロック図である。（特にプロセッサ、メモリ及びネットワークインタフェースを含むことに関して）類似するアーキテクチャを他のタイプのネットワークノードが有してもよい。
【０１２０】
ここで使用されるところによれば、“仮想化された”無線アクセスノード１４は、無線アクセスノード１４の機能性の少なくとも一部が仮想的なコンポーネント（例えば、ネットワーク内の物理的な処理ノード上で稼働する仮想マシン）として実装される無線アクセスノード１４である。図示したように、無線アクセスノード１４は、オプションとして、図８に関して説明したような制御システム３０を含む。無線アクセスノード１４は、上述したような１つ以上のアンテナ４０へ連結される送受信機３８をも含む。制御システム３０は、例えば光ケーブルなどを介して、送受信機３８へ接続される。制御システム３０は、ネットワークインタフェース３６を介して、ネットワーク４４の一部へ連結され又はネットワーク４４の一部に含まれる１つ以上の処理ノード４２へ接続される。代替的に、制御システム３０が存在しない場合、送受信機３８がネットワークインタフェースを介して１つ以上の処理ノード４２へ接続される。各処理ノード４２は、１つ以上のプロセッサ４６（例えば、ＣＰＵ、ＡＳＩＣ及び／又はＦＰＧＡなど）、メモリ４８及びネットワークインタフェース５０を含む。
【０１２１】
この例において、ここで説明した無線アクセスノード１４の機能５２は、１つ以上の処理ノード４２において実装され、又は、任意の所望のやり方で制御システム３０及び１つ以上の処理ノード４２をまたいで分散される。いくつかの具体的な実施形態において、ここで説明した無線アクセスノード１４の機能５２のいくつか又は全ては、処理ノード４２によりホスティングされる仮想環境内に実装される１つ以上の仮想マシンにより実行される仮想コンポーネントとして実装される。当業者により理解されるであろうように、所望の機能のうちの少なくともいくつかを遂行する目的で、処理ノード４２と制御システム３０又は代替的に送受信機３８との間の追加的なシグナリング又は通信が使用される。とりわけ、いくつかの実施形態において、制御システム３０は包含されなくてもよく、そのケースでは、送受信機３８が適切なネットワークインタフェースを介して処理ノード４２と直接的に通信する。
【０１２２】
いくつかの実施形態において、少なくとも１つのプロセッサにより実行された場合に当該少なくとも１つのプロセッサにここで説明した実施形態のいずれかに係る無線アクセスノード１４又は処理ノード４２の機能性を遂行させる命令、を含むコンピュータプログラムが提供される。いくつかの実施形態において、上述したコンピュータプログラムプロダクトを収容する担体が提供される。その担体は、電子信号、光信号、無線信号又はコンピュータ読取可能な記憶媒体（例えば、メモリなどの非一時的なコンピュータ読取可能な媒体）のうちの１つである。
【０１２３】
図１０は、本開示のいくつかの他の実施形態に係る無線アクセスノード１４、又はより広くネットワークノードの概略ブロック図である。無線アクセスノード１４は、各々がソフトウェアで実装される１つ以上のモジュール５４を含む。モジュール５４は、ここで説明した無線アクセスノード１４の機能性を提供する。この例において、無線アクセスノード１４は、第１判定モジュール５４−１、第２判定モジュール５４−２及び送信モジュール５４−３を含む。第１判定モジュール５４−１は、第１の周波数上で動作するサービングセル１６と共に構成されるワイヤレスデバイス１２が第２の周波数上で動作する非サービングセル１６へ同期しているかを判定する、ように動作可能であり、第２の周波数は、例えばワイヤレスデバイス１２がＤ２Ｄ通信のために使用することを意図し又はそれが予期される周波数である。第２判定モジュール５４−２は、ワイヤレスデバイス１２が第２の周波数上で動作する非サービングセル１６へ同期しているかに基づいて、ワイヤレスデバイス１２を第１の測定ギャップ構成を適用するように構成すべきか又は第２の測定ギャップ構成を適用するように構成すべきかを判定する、ように動作可能であり、第１の測定ギャップ構成及び第２の測定ギャップ構成は、異なる測定ギャップ構成である。送信モジュール５４−３は、ネットワークノードにより判定される通りに、ワイヤレスデバイス１２を第１の測定ギャップ構成又は第２の測定ギャップ構成を適用するように構成する情報をワイヤレスデバイス１２へ送信する、ように動作可能である。
【０１２４】
上の及びここで説明した他の実施形態は、旧来の技法及び技術と比較して、限定ではないものの、次のことを含む潜在的な多様な利益を提供し得る。
【０１２５】
ある実施形態は、非サービングキャリア上でのＰｒｏＳｅ動作を可能にし得る。ある説明した方法は、非サービングキャリア上でＤ２Ｄを行うことを意図する際のＷＡＮの中断時間を低減し得る。なぜなら、その中断をネットワークノードにより制御することが可能となるからである。
【０１２６】
ある実施形態は、Ｄ２Ｄ  ＵＥ１２が非サービングキャリア上で動作することを意図する場合にリソースをより効率的に使用することが可能となり得る。なぜなら、ＵＥ１２が非サービングセルへ同期している場合にのみＵＥ１２がＤ２Ｄを行うことが可能となるからである。
【０１２７】
ある実施形態は、ネットワークノードによりサービスされているＤ２Ｄ  ＵＥ１２が非サービングキャリアに属するセルへのチューニングを行う際に上記ネットワークノードにおいてスケジューリンググラントが逸失することを防止し得る。
【０１２８】
ある実施形態は、ＵＥ１２がＰｒｏＳｅを行うためのギャップを受け取る前に非サービングキャリアのセルへ同期していない場合でさえも、そのセル上でＰｒｏＳｅ動作を行うことを可能にし得る。転じて、これは、ＵＥ１２が非サービングキャリア上でＰｒｏＳｅ動作を開始するよりも相当前にそのキャリアのセル上で測定を行う必要性を回避するかもしれず、ＷＡＮ性能を劣化させかねない他のタイプの周期的なギャップをも回避する。
【０１２９】
開示した主題は多様な実施形態への参照と共に上で提示されているものの、開示した主題の全体的なスコープから逸脱することなく、説明したそれら実施形態に対して形式及び詳細における多様な変更をなし得ることが理解されるであろう。
【０１３０】
次の頭字語が本開示を通じて使用されている。
３ＧＰＰ        Third  Generation  Partnership  Project
ＡＧＣ          Amplitude  Gain  Control
ＡＰ            Access  Point
ＡＳＩＣ        Application  Specific  Integrated  Circuit
ＢＬＥＲ        Block  Error  Rate
ＢＳＣ          Base  Station  Controller
ＢＴＳ          Base  Transceiver  Station
ＣＡ            Carrier  Aggregation
ＣＤＭＡ        Code  Division  Multiple  Access
ＣＧＩ          Cell  Global  Identity
ＣＰＵ          Central  Processing  Unit
ＣＱＩ          Channel  Quality  Indicator
ＣＲＳ          Common  Reference  Signal
ＣＳＩ          Channel  State  Information
ＣＳＩ−ＲＳ    Channel  State  Information  Reference  Signal
Ｄ２Ｄ          Device-to-Device
ＤＡＳ          Distributed  Antenna  System
ｄＢ            Decibel
ＤＭＲＳ        Demodulation  Reference  Signal
ＤＲＳ          Discovery  Reference  Signal
ＤＲＸ          Discontinuous  Reception
ＥＤＧＥ        Enhanced  Data  Rates  for  Global  Evolution
ｅＮＢ          Enhanced  or  Evolved  Node  B
Ｅ−ＳＭＬＣ    Evolved  Serving  Mobile  Location  Center
ＦＤＤ          Frequency  Division  Duplexing
ＦＰＧＡ        Field  Programmable  Gate  Array
ＧＥＲＡＮ      Global  System  for  Mobile  Communications  Enhanced  Data  Rates  for  Global  Evolution  Radio  Access  Network
ＧＳＭ          Global  System  for  Mobile  Communications
ＨＳＰＡ        High  Speed  Packet  Access
ＩＤ            Identity
ｋｍ／ｈｒ      Kilometers/Hour
ＬＥＥ          Laptop  Embedded  Equipment
ＬＭＥ          Laptop  Mounted  Equipment
ＬＴＥ          Long  Term  Evolution
Ｍ２Ｍ          Machine-to-Machine
ＭＣＧ          Master  Cell  Group
ＭＤＴ          Minimization  of  Drive  Tests
ＭｅＮＢ        Master  Enhanced  or  Evolved  Node  B
ＭＩＢ          Master  Information  Block
ＭＭＥ          Mobility  Management  Entity
ｍｓ            Millisecond
ＭＳＣ          Mobile  Switching  Center
ＭＳＲ          Multi-Standard  Radio
ＭＴＣ          Machine  Type  Communication
Ｏ＆Ｍ          Operation  and  Maintenance
ＯＮＣ          Out-of-Network-Coverage
ＯＳＳ          Operations  Support  System
ＰＣｅｌｌ      Primary  Cell
ＰＣＩ          Physical  Cell  Identity
ＰＤＡ          Personal  Digital  Assistant
ＰＬＭＮ        Public  Land  Mobile  Network
ＰＭＩ          Precoding  Matrix  Indicator
ＰｒｏＳｅ      Proximity  Services
ＰＳＣｅｌｌ    Primary  Secondary  Cell
ＰＳＳ          Primary  Synchronization  Signal
ＰＳＳＳ        Primary  Sidelink  Synchronization  Signal
ＲＡＴ          Radio  Access  Technology
ＲＦ            Radio  Frequency
ＲＩ            Rank  Indicator
ＲＩＰ          Received  Interference  Power
ＲＬＭ          Radio  Link  Monitoring
ＲＮＣ          Radio  Network  Controller
ＲＲＣ          Radio  Resource  Control
ＲＲＨ          Remote  Radio  Head
ＲＲＵ          Remote  Radio  Unit
ＲＳＲＰ        Reference  Signal  Received  Power
ＲＳＲＱ        Reference  Signal  Received  Quality
ＲＳＴＤ        Reference  Signal  Time  Difference
ＲＸ            Reception
ＳＡ            Scheduling  Assignment
ＳＣｅｌｌ      Secondary  Cell
ＳＣＧ          Secondary  Cell  Group
ＳｅＮＢ        Secondary  Enhanced  or  Evolved  Node  B
ＳＩ            System  Information
ＳＩＢ          System  Information  Block
ＳＩＮＲ        Signal  to  Interference  plus  Noise  Ratio
ＳＮＲ          Signal  to  Noise  Ratio
ＳＯＮ          Self-Organizing  Network
ＳＳＳ          Secondary  Synchronization  Signal
ＳＳＳＳ        Secondary  Sidelink  Synchronization  Signal
ＴＡ            Timing  Advance
ＴＤＤ          Time  Division  Duplexing
ＴＸ            Transmission
ＵＥ            User  Equipment
ＵＳＢ          Universal  Serial  Bus
Ｖ２Ｉ          Vehicle  to  Infrastructure
Ｖ２Ｐ          Vehicle  to  Pedestrian
Ｖ２Ｘ          Vehicle  to  X
ＷＡＮ          Wireless  Access  Network
ＷＣＤＭＡ      Wideband  Code  Division  Multiple  Access
ＷＬＡＮ        Wireless  Local  Area  Network
【０１３１】
当業者は、本開示の実施形態について改善例及び修正例を認識するであろう。全てのそうした改善例及び修正例は、ここで開示した概念及び後続の特許請求の範囲のスコープ内にあるものと見なされる。
【図１】
2019502292.tif 000003
【図２】
2019502292.tif 000004
【図３Ａ】
2019502292.tif 000005
【図３Ｂ】
2019502292.tif 000006
【図４】
2019502292.tif 000007
【図５】
2019502292.tif 000008
【図６】
2019502292.tif 000009
【図７】
2019502292.tif 000010
【図８】
2019502292.tif 000011
【図９】
2019502292.tif 000012
【図１０】
2019502292.tif 000013
【国際調査報告】
2019502292.tif 000014
2019502292.tif 000015
2019502292.tif 000016